(57)【要約】  本発明は、端末デバイス間の関連付けを確立するための方法及びデバイスを提供し、当該方法は、第１の端末デバイスは、ネットワーク側デバイスに端末能力情報を送信することと、前記第１の端末デバイスは、前記ネットワーク側デバイスにより送信される前記第１の端末デバイスがデータを受信及び転送する能力を有することを確認する確認情報を受信することと、前記第１の端末デバイスは、前記確認情報に基づいて、前記第２の端末デバイスとの関連付けを確立することとを含み、前記端末能力情報は、前記第１の端末デバイスがデータを受信及び転送する能力を有することを示すために用いられる。それによって現行のＬＴＥ通信システムに基づいて、端末デバイスと端末デバイスとの関連を付けてデータ伝送を行い、それによって、端末デバイスのパワー及び端末デバイス間の通信コストを省くことができる。
2019514245.tif 000002
【特許請求の範囲】
【請求項１】
端末デバイス間の関連付けを確立するための方法であって、
第１の端末デバイスが、ネットワーク側デバイスに端末能力情報を送信することと、
前記第１の端末デバイスが、前記ネットワーク側デバイスにより送信される前記第１の端末デバイスがデータを受信及び転送する能力を有することを確認する確認情報を受信することと、
前記第１の端末デバイスが、前記確認情報に基づいて、第２の端末デバイスとの関連付けを確立することと、
を含み、前記端末能力情報は、前記第１の端末デバイスがデータを受信及び転送する能力を有することを示すために用いられる、
ことを特徴とする前記端末デバイス間の関連付けを確立するための方法。
【請求項２】
前記第１の端末デバイスが、前記確認情報に基づいて、前記第２の端末デバイスとの関連付けを確立することは、
前記第１の端末デバイスが、前記確認情報を受信した後に、前記第２の端末デバイスにより送信される関連付け要求情報を受信してユーザに呈することと、
前記第１の端末デバイスが、前記ユーザにより入力される前記第２の端末デバイスのデバイス情報に基づいて確定された応答情報を受信することと、
前記応答情報が前記第２の端末デバイスとの関連付けを確立することを前記第１の端末デバイスに指示する場合、前記第１の端末デバイスが、前記第２の端末デバイスとの関連付けを確立することと、
を含み、前記関連付け要求情報に前記第２の端末デバイスのデバイス情報が含まれ、前記応答情報は、前記第２の端末デバイスとの関連付けを確立するか否かを前記第１の端末デバイスに指示するために用いられる、
ことを特徴とする請求項１に記載の端末デバイス間の関連付けを確立するための方法。
【請求項３】
前記第１の端末デバイスが、前記確認情報に基づいて、前記第２の端末デバイスとの関連付けを確立することは、
前記第１の端末デバイスが、前記確認情報を受信した後に、前記第２の端末デバイスにより送信される関連付け要求情報を受信することと、
前記第１の端末デバイスが、記憶されている関連付け情報と前記第２の端末デバイスのデバイス情報とに基づいて、前記第２の端末デバイスとの関連付けを確立するか否かを確定することと、
前記第１の端末デバイスが前記第２の端末デバイスとの関連付けの確立を確定する場合、前記第１の端末デバイスが、前記第２の端末デバイスとの関連付けを確立することと、
を含み、前記関連付け要求情報に前記第２の端末デバイスのデバイス情報が含まれる、
ことを特徴とする請求項１に記載の端末デバイス間の関連付けを確立するための方法。
【請求項４】
前記第１の端末デバイスが前記確認情報を受信した後に、前記方法は、
前記第１の端末デバイスが、前記第２の端末デバイスに第１のリソース割り当て指示情報を送信することをさらに含み、
ここで、前記第１の端末デバイスが前記第２の端末デバイスにより送信される関連付け要求情報を受信することは、
前記第１の端末デバイスが、前記第１のリソース割り当て指示情報に示されるリソースにおいて、前記関連付け要求情報を受信することを含む、
ことを特徴とする請求項２に記載の端末デバイス間の関連付けを確立するための方法。
【請求項５】
前記方法は、
前記第１の端末デバイスが、前記ネットワーク側デバイスにより送信される第２のリソース割り当て指示情報を受信することをさらに含み、ここで、前記第２のリソース割り当て指示情報に示されるリソースに前記第１のリソース指示情報に示されるリソースが含まれる、
ことを特徴とする請求項４に記載の端末デバイス間の関連付けを確立するための方法。
【請求項６】
前記方法は、
前記第１の端末デバイスが、前記ネットワーク側デバイスより送信されるクラスタ識別子（ＩＤ）を受信することと、
前記第２の端末デバイスが前記第１の端末デバイスにデータを送信し、又は前記第１の端末デバイスからデータを受信する前に、前記クラスタＩＤに基づいて、前記第１の端末デバイスにアクセスすることができるか否か、またデータを送信又は受信する時に占用するリソースを確定することができるように、前記第１の端末デバイスが、前記第２の端末デバイスに前記クラスタＩＤを送信することと、
をさらに含み、前記クラスタＩＤは、前記第１の端末デバイスの所属するクラスタを一時的に示すために用いられ、前記クラスタＩＤは、前記ネットワーク側デバイスが前記第１の端末デバイスがデータを受信及び転送する能力を有することを確定する時に、前記第１の端末デバイスに割り当てられるものである、
ことを特徴とする請求項１〜５のいずれか１項に記載の端末デバイス間の関連付けを確立するための方法。
【請求項７】
前記方法は、
前記第１の端末デバイスが、前記第２の端末デバイスにより送信されるデータを受信することと、
前記第１の端末デバイスが、前記第１の端末デバイスの状況とサービス品質（ＱｏＳ）指示情報とに基づいて、前記ネットワーク側デバイスに前記データを送信することと、
をさらに含み、前記ＱｏＳ指示情報は、前記データがＱｏＳに対する要求を示す、
ことを特徴とする請求項１〜６のいずれか１項に記載の端末デバイス間の関連付けを確立するための方法。
【請求項８】
前記第１の端末デバイスが、前記第１の端末デバイスの状況とＱｏＳ指示情報とに基づいて、前記ネットワーク側デバイスに前記データを送信することは、
前記第１の端末デバイスが接続状態にある場合、前記第１の端末デバイスが、前記データを成功に受信する時刻からの第１の持続時間内において、前記ネットワーク側デバイスに前記データを送信すること、又は、
前記第１の端末デバイスがアイドル状態にあり、且つ前記ＱｏＳ指示情報が、前記データが遅延に敏感なデータであり、又は前記データの要求する伝送遅延が第１の予め設定された値より小さいことを示す場合、前記第１の端末デバイスが、前記データを成功に受信する時刻からの第２の持続時間内において、前記ネットワーク側デバイスとの接続を確立し、接続を確立してから前記ネットワーク側デバイスに前記データを送信すること、又は、
前記第１の端末デバイスがアイドル状態にあり、且つ前記ＱｏＳ指示情報が、前記データが遅延に敏感でないデータであることを示す場合、前記第１の端末デバイスが前記データを成功に受信した時刻からの第３の持続時間内において、前記ネットワーク側デバイスと接続を確立した場合、前記第１の端末デバイスが前記基地局に前記データを送信すること、又は、
前記第１の端末デバイスがアイドル状態にあり、且つ前記ＱｏＳ指示情報が、前記データが伝送遅延に対して要求しないことを示す場合、前記第１の端末デバイスが前記データを成功に受信した時刻からの第４の持続時間内において、自身のサービスニーズに基づいて前記ネットワーク側デバイスとの接続を確立した場合、前記第１の端末デバイスが、前記ネットワーク側デバイスに前記データを送信すること、
を含む、
ことを特徴とする請求項７に記載の端末デバイス間の関連付けを確立するための方法。
【請求項９】
前記第２の端末デバイスにより送信されるデータを受信することは、
前記第２の端末デバイスにより送信されるデータと前記ＱｏＳ指示情報とを受信することを含む、
ことを特徴とする請求項７又は８に記載の端末デバイス間の関連付けを確立するための方法。
【請求項１０】
前記第１の端末デバイスが前記ネットワーク側デバイスに端末能力情報を送信することは、
前記第１の端末デバイスが、基地局にアクセス層（ＡＳ）シグナリングを送信すること、及び／又は、
前記第１の端末デバイスが、コアネットワークデバイスに非アクセス層（ＮＡＳ）シグナリングを送信すること、
を含み、前記ＡＳ層シグナリングに前記端末能力情報が含まれ、前記ＮＡＳシグナリングに前記端末能力情報が含まれる、
ことを特徴とする請求項１〜９のいずれか１項に記載の端末デバイス間の関連付けを確立するための方法。
【請求項１１】
前記第２の端末デバイスのデバイス情報は、前記第２の端末デバイスのＩＤ、前記第２の端末デバイスのタイプ、前記第２の端末デバイスのデータ送信周期、及びＱｏＳ指示情報のうちの少なくとも一つを含む、
ことを特徴とする請求項２又は３に記載の端末デバイス間の関連付けを確立するための方法。
【請求項１２】
前記第１の端末デバイスが前記第２の端末デバイスに前記クラスタＩＤを送信することは、
前記第１の端末デバイスが、前記第２の端末デバイスにブロードキャストメッセージを送信することを含み、前記ブロードキャストメッセージに前記クラスタＩＤが含まれる、
ことを特徴とする請求項４に記載の端末デバイス間の関連付けを確立するための方法。
【請求項１３】
前記ブロードキャストメッセージは、前記第１の端末デバイスのデバイス情報をさらに含み、前記第１の端末デバイスのデバイス情報は、タイプ情報と電量情報とのうちの少なくとも一つを含む、
ことを特徴とする請求項１２に記載の端末デバイス間の関連付けを確立するための方法。
【請求項１４】
端末デバイス間の関連付けを確立するための方法であって、
第２の端末デバイスが、第１の端末デバイスより送信されるクラスタ識別子（ＩＤ）を受信することと、
前記第２の端末デバイスが、前記第１の端末デバイスに関連付け要求情報を送信することと、
前記第１の端末デバイスとの関連付けを確立するために、前記第２の端末デバイスが、前記第１の端末デバイスにより送信される関連付け確認情報を受信した場合、前記第２の端末デバイスが、前記クラスタＩＤを記憶することと、
を含み、前記クラスタＩＤは、前記第１の端末デバイスの所属するクラスタを一時的に示すために用いられ、前記クラスタＩＤは、ネットワーク側デバイスが前記第１の端末デバイスがデータを受信及び転送する能力を有することを確定する時に、前記第１の端末デバイスに割り当てられ、前記第１の端末デバイスに送信されるものであり、前記関連付け要求情報に前記第２の端末デバイスのデバイス情報が含まれ、ここで、前記関連付け確認情報は、ユーザ又は前記第１の端末デバイスが前記デバイス情報に基づいて前記第１の端末デバイスと前記第２の端末デバイスとの関連付けを確定する時に、前記第１の端末デバイスが前記第２の端末デバイスに送信するものである、
ことを特徴とする前記端末デバイス間の関連付けを確立するための方法。
【請求項１５】
前記方法は、
前記第２の端末デバイスが、検出したクラスタＩＤと前記クラスタＩＤとの関係に基づいて、前記第１の端末デバイスにデータを送信することをさらに含む、
ことを特徴とする請求項１４に記載の端末デバイス間の関連付けを確立するための方法。
【請求項１６】
前記第２の端末デバイスが、検出したクラスタＩＤと前記クラスタＩＤとの関係に基づいて、前記第１の端末デバイスにデータを送信することは、
前記第２の端末デバイスが検出したクラスタＩＤに、前記クラスタＩＤが含まれ、かつ前記第１の端末デバイスがターゲットタイプ端末である場合、前記第２の端末デバイスが、前記第１の端末デバイスにデータを送信すること、又は、
前記第２の端末デバイスが検出したクラスタＩＤに、前記クラスタＩＤが含まれ、かつ前記第１の端末デバイスの能力が前記検出したクラスタＩＤ内のその他のクラスタＩＤに対応する端末デバイスの能力より高い場合、前記第２の端末デバイスが、前記第１の端末デバイスにデータを送信すること、
を含む、
ことを特徴とする請求項１５に記載の端末デバイス間の関連付けを確立するための方法。
【請求項１７】
前記方法は、
前記第２の端末デバイスが、前記第１の端末デバイスにより送信される第１のリソース指示情報を受信することをさらに含み、
ここで、前記第２の端末デバイスが、前記第１の端末デバイスに関連付け要求情報を送信することは、
前記第２の端末デバイスが、前記第１のリソース指示情報に示されるリソースにおいて前記第１の端末デバイスに前記関連付け要求情報を送信することを含む、
ことを特徴とする請求項１４〜１６のいずれか１項に記載の端末デバイス間の関連付けを確立するための方法。
【請求項１８】
前記方法は、
前記第２の端末デバイスは、基地局により送信される前記クラスタＩＤ、及び前記クラスタＩＤに対応する第２のリソース指示情報を受信することをさらに含み、
ここで、前記第２の端末デバイスが、前記第１の端末デバイスに関連付け要求情報を送信することは、
前記第２の端末デバイスが、前記第１の端末デバイスにより送信される前記クラスタＩＤに対応する第３のリソース割り当て指示情報を受信することと、
前記第２の端末デバイスが、前記第３のリソース割り当て指示情報に示されるリソースにおいて前記第１の端末デバイスに前記関連付け要求情報を送信することと、
を含み、前記第３のリソース割り当て指示情報に示されるリソースは、前記第２のリソース割り当て指示情報に示されるリソース内の一部のリソースであり、
ここで、前記第２の端末デバイスが、前記第１の端末デバイスにデータを送信することは、
前記第２の端末デバイスが、前記第２のリソース指示情報に示されるリソースにおいて、前記第１の端末デバイスに前記データを送信することを含む、
ことを特徴とする請求項１５又は１６に記載の端末デバイス間の関連付けを確立するための方法。
【請求項１９】
端末デバイス間の関連付けを確立するための方法であって、
基地局が、第１の端末デバイスにより送信される端末能力情報を受信することと、
前記基地局が、コアネットワークデバイスに前記端末能力情報を送信することと、
前記基地局が、前記コアネットワークデバイスにより送信される前記第１の端末デバイスがデータを受信及び転送する能力を有することを確認する確認情報を受信することと、
前記第１の端末デバイスが、前記確認情報に基づいて、第２の端末デバイスとの関連付けを確立することができるように、前記基地局が、前記第１の端末デバイスに前記確認情報を送信することと、
を含み、前記端末能力情報は、前記第１の端末デバイスがデータを受信及び転送する能力を有することを示すために用いられる、
ことを特徴とする前記端末デバイス間の関連付けを確立するための方法。
【請求項２０】
前記方法は、
前記基地局が、前記コアネットワークデバイスにより送信されるクラスタＩＤを受信することと、
前記基地局が、前記第１の端末デバイスに前記クラスタＩＤを送信することと、
をさらに含み、前記クラスタＩＤは、前記第１の端末デバイスの所属するクラスタを一時的に示すために用いられ、前記クラスタＩＤは、前記コアネットワークデバイスが前記第１の端末デバイスがデータを受信及び転送する能力を有することを確定する時に確定されるものである、
ことを特徴とする請求項１９に記載の端末デバイス間の関連付けを確立するための方法。
【請求項２１】
前記基地局が前記第１の端末デバイスにより送信される端末能力情報を受信することは、
前記基地局が、前記第１の端末デバイスにより送信されるアクセス層（ＡＳ）シグナリングを受信することを含み、前記ＡＳ層シグナリングに前記端末能力情報が含まれる、
ことを特徴とする請求項１９又は２０に記載の端末デバイス間の関連付けを確立するための方法。
【請求項２２】
前記方法は、
前記第１の端末デバイスが前記第１のリソース割り当て指示情報に示されるリソース内の一部のリソースを前記第２の端末デバイスに割り当てることができるように、前記基地局が、前記第１の端末デバイスに第１のリソース割り当て指示情報を送信することをさらに含む、
ことを特徴とする請求項１９〜２１のいずれか１項に記載の端末デバイス間の関連付けを確立するための方法。
【請求項２３】
前記方法は、
前記第２の端末デバイスが前記クラスタＩＤに基づいて、前記第１の端末デバイスにデータを送信し、又は前記第１の端末デバイスからデータを受信する時に占用するリソースを確定することができるように、前記基地局が、前記第２の端末デバイスに前記クラスタＩＤと前記クラスタＩＤに対応する第２のリソース割り当て指示情報とを送信することをさらに含む、
ことを特徴とする請求項１９〜２１のいずれか１項に記載の端末デバイス間の関連付けを確立するための方法。
【請求項２４】
端末デバイス間の関連付けを確立するための方法であって、
コアネットワークデバイスが、第１の端末デバイスの端末能力情報を受信することと、
前記コアネットワークデバイスが前記端末能力情報に基づいて、前記第１の端末デバイスがデータを受信及び転送する能力を有することを確定した場合、前記第１の端末デバイスが前記確認情報に基づいて第２の端末デバイスとの関連付けを確立することができるように、前記コアネットワークデバイスが、前記第１の端末デバイスに前記第１の端末デバイスがデータを受信及び転送する能力を有することを確認する確認情報を送信することと、
を含み、前記端末能力情報は、前記第１の端末デバイスがデータを受信及び転送する能力を有することを示すために用いられる、
ことを特徴とする前記端末デバイス間の関連付けを確立するための方法。
【請求項２５】
前記方法は、
前記コアネットワークデバイスが前記端末能力情報に基づいて、前記第１の端末デバイスがデータを受信及び転送する能力を有することを確定した場合、前記コアネットワークデバイスが、前記第１の端末デバイスに割り当てるクラスタＩＤを確定することと、
前記コアネットワークデバイスが、前記第１の端末デバイスに前記クラスタＩＤを送信することと、
をさらに含み、前記クラスタＩＤは、前記第１の端末デバイスの所属するクラスタを一時的に示すために用いられる、
ことを特徴とする請求項２４に記載の端末デバイス間の関連付けを確立するための方法。
【請求項２６】
前記コアネットワークデバイスが、前記第１の端末デバイスに割り当てるクラスタＩＤを確定することは、
前記コアネットワークデバイスが、前記第１の端末デバイスの国際移動体加入者識別番号（ＩＭＳＩ）又は国際移動体装置識別番号（ＩＭＥＩ）に基づいて生成されるクラスタＩＤを前記クラスタＩＤとして確定することを含む、
ことを特徴とする請求項２５に記載の端末デバイス間の関連付けを確立するための方法。
【請求項２７】
前記コアネットワークデバイスが第１の端末デバイスの端末能力情報を受信することは、
前記コアネットワークデバイスが、前記第１の端末デバイスにより送信される非アクセス層（ＮＡＳ）シグナリングを受信すること、又は、
前記コアネットワークデバイスが、基地局により送信される前記端末能力情報を受信すること、
を含み、前記ＮＡＳ層シグナリングに前記端末能力情報が含まれる、
ことを特徴とする請求項２４〜２６のいずれか１項に記載の端末デバイス間の関連付けを確立するための方法。
【請求項２８】
端末デバイスであって、送受信ユニットと処理ユニットとを含み、
前記送受信ユニットは、ネットワーク側デバイスに端末能力情報を送信するように構成され、前記端末能力情報は、前記端末デバイスがデータを受信及び転送する能力を有することを示すために用いられ、
前記送受信ユニットは、前記ネットワークデバイスにより送信される、前記端末デバイスがデータを受信及び転送する能力を有することを確認する確認情報を受信するようにさらに構成され、
前記処理ユニットは、前記確認情報に基づいて、前記第２の端末デバイスとの関連付けを確立するように構成される、
ことを特徴とする前記端末デバイス。
【請求項２９】
前記送受信ユニットは、
前記確認情報を受信した後に、前記第２の端末デバイスにより送信される関連付け要求情報を受信してユーザに呈し、
前記ユーザにより入力される前記第２の端末デバイスのデバイス情報に基づいて確定された応答情報を受信するようにさらに構成され、前記関連付け要求情報に前記第２の端末デバイスのデバイス情報が含まれ、前記応答情報は、前記第２の端末デバイスとの関連付けを確立するか否かを前記端末デバイスに指示するために用いられ、
ここで、前記処理ユニットは、
前記応答情報が前記第２の端末デバイスとの関連付けを確立するように前記端末デバイスに指示する場合、前記第２の端末デバイスとの関連付けを確立するように具体的に構成される、
ことを特徴とする請求項２８に記載の端末デバイス。
【請求項３０】
前記送受信ユニットは、
前記確認情報を受信した後に、前記第２の端末デバイスにより送信される関連付け要求情報を受信するように具体的に構成され、前記関連付け要求情報に前記第２の端末デバイスのデバイス情報が含まれ、
ここで、前記処理ユニットは、
記憶されている関連付け情報と前記第２の端末デバイスのデバイス情報とに基づいて、前記第２の端末デバイスとの関連付けを確立するか否かを確定し、
前記第２の端末デバイスとの関連付けを確立することを確定した場合、前記第２の端末デバイスとの関連付けを確立するように具体的に構成される、
ことを特徴とする請求項２８に記載の端末デバイス。
【請求項３１】
前記送受信ユニットが前記確認情報を受信した後に、前記送受信ユニットは、
前記第２の端末デバイスに第１のリソース割り当て指示情報を送信し、
前記第１のリソース割り当て指示情報に示されるリソースにおいて、前記関連付け要求情報を受信するようにさらに構成される、
ことを特徴とする請求項２９に記載の端末デバイス。
【請求項３２】
前記送受信ユニットは、
前記ネットワーク側デバイスにより送信される第２のリソース割り当て指示情報を受信するようにさらに構成され、ここで、前記第２のリソース割り当て指示情報に示されるリソースに前記第１のリソース指示情報に示されるリソースが含まれる、
ことを特徴とする請求項３１に記載の端末デバイス。
【請求項３３】
前記送受信ユニットは、
前記ネットワーク側デバイスより送信されるクラスタ識別子（ＩＤ）を受信し、
前記第２の端末デバイスが前記端末デバイスにデータを送信し、又は前記端末デバイスからデータを受信する前に、前記クラスタＩＤに基づいて前記端末デバイスにアクセスすることができるか否か、及びデータを送信又は受信する時に占用するリソースを確定することができるように、前記第２の端末デバイスに前記クラスタＩＤを送信する、
ようにさらに構成され、前記クラスタＩＤは、前記端末デバイスの所属するクラスタを一時的に示すために用いられ、前記クラスタＩＤは、前記ネットワーク側デバイスが、前記端末デバイスがデータを受信及び転送する能力を有することを確定する時に前記端末デバイスに割り当てるものである、
ことを特徴とする請求項２８〜３２のいずれか１項に記載の端末デバイス。
【請求項３４】
前記送受信ユニットは、
前記第２の端末デバイスにより送信されるデータを受信し、
前記端末デバイスの状況とサービス品質（ＱｏＳ）指示情報とに基づいて、前記ネットワーク側デバイスに前記データを送信する、
ようにさらに構成され、前記ＱｏＳ指示情報は、前記データがＱｏＳに対する要求を示す、
ことを特徴とする請求項２８〜３３のいずれか１項に記載の端末デバイス。
【請求項３５】
前記送受信ユニットは、前記端末デバイスが接続状態にある場合、前記データを成功に受信した時刻からの第１の持続時間内において、前記ネットワーク側デバイスに前記データを送信するように具体的に構成され、又は、
前記端末デバイスがアイドル状態にあり、かつ前記ＱｏＳ指示情報が前記データが遅延に敏感なデータであることを示し、又は前記データの要求する伝送遅延が第１の予め設定された値より小さい場合、前記処理ユニットが前記送受信ユニットで前記データを成功に受信した時刻からの第２の持続時間内において、前記ネットワーク側デバイスとの接続を確立し、前記送受信ユニットは、接続確立した後に前記ネットワーク側デバイスに前記データを送信するように構成され、又は、
前記端末デバイスがアイドル状態にあり、且つ前記ＱｏＳ指示情報は、前記データが遅延に敏感でないデータである場合、前記送受信ユニットが前記データを成功に受信した時刻からの第３の持続時間内において、前記処理ユニットが前記ネットワーク側デバイスとの関連付けを確立し、前記送受信ユニットは、前記基地局に前記データを送信するように構成され、又は、
前記端末デバイスが、アイドル状態にあり、且つ前記ＱｏＳ指示情報が前記データが伝送遅延に対して要求しないことを示す場合、前記送受信ユニットが前記データを成功に受信した時刻からの第４の持続時間内において、前記処理ユニットが前記端末デバイスの自身のサービスニーズに基づいて、前記ネットワーク側デバイスとの接続を確立し、前記送受信ユニットは、前記ネットワーク側デバイスに前記データを送信するように構成される、
ことを特徴とする請求項３４に記載の端末デバイス。
【請求項３６】
前記送受信ユニットは、
前記第２の端末デバイスにより送信されるデータと前記ＱｏＳ指示情報とを受信するように具体的に構成される、
ことを特徴とする請求項３４又は３５に記載の端末デバイス。
【請求項３７】
前記送受信ユニットは、
基地局にアクセス層（ＡＳ）シグナリングに送信し、及び／又は、
コアネットワークデバイスに非アクセス層（ＮＡＳ）シグナリングを送信する、
ように具体的に構成され、前記ＡＳ層シグナリングに前記端末能力情報が含まれ、前記ＮＡＳシグナリングに前記端末能力情報が含まれる、
ことを特徴とする請求項２８〜３６のいずれか１項に記載の端末デバイス。
【請求項３８】
前記第２の端末デバイスのデバイス情報は、前記第２の端末デバイスのＩＤ、前記第２の端末デバイスのタイプ、前記第２の端末デバイスのデータ送信周期、及びＱｏＳ指示情報のうちの少なくとも一つを含む、
ことを特徴とする請求項２９又は３０に記載の端末デバイス。
【請求項３９】
前記送受信ユニットは、
前記第２の端末デバイスにブロードキャストメッセージを送信するように具体的に構成され、前記ブロードキャストメッセージに前記クラスタＩＤが含まれる、
ことを特徴とする請求項３３に記載の端末デバイス。
【請求項４０】
前記ブロードキャストメッセージに前記端末デバイスのデバイス情報がさらに含まれ、前記端末デバイスのデバイス情報は、タイプ情報と電量情報とのうちの少なくとも一つを含む、
ことを特徴とする請求項３９に記載の端末デバイス。
【請求項４１】
端末デバイスであって、送受信ユニットと処理ユニットとを含み、
前記送受信ユニットは、第１の端末デバイスより送信されるクラスタ識別子（ＩＤ）を受信するように構成され、前記クラスタＩＤは、前記第１の端末デバイスの所属するクラスタを一時的に示すために用いられ、前記クラスタＩＤは、ネットワーク側デバイスが前記第１の端末デバイスがデータを受信及び転送する能力を有することを確定する時に、前記第１の端末デバイスに割り当てられ、前記第１の端末デバイスに送信されるものであり、
前記送受信ユニットは、前記第１の端末デバイスに関連付け要求情報を送信するようにさらに構成され、前記関連付け要求情報に前記端末デバイスのデバイス情報が含まれ、
前記処理ユニットは、前記第１の端末デバイスとの関連付けを確立するために、前記送受信ユニットが前記第１の端末デバイスにより送信される関連付け確認情報を受信した場合、前記クラスタＩＤを記憶するように構成され、ここで、前記関連付け確認情報は、ユーザ又は前記第１の端末デバイスが前記デバイス情報に基づいて、前記第１の端末デバイスと前記端末デバイスとの関連付けを確立する時に、前記第１の端末デバイスにより前記端末デバイスに送信されるものである、
ことを特徴とする前記端末デバイス。
【請求項４２】
前記送受信ユニットは、
検出したクラスタＩＤと前記クラスタＩＤとの関係に基づいて、前記第１の端末デバイスにデータを送信するように具体的に構成される、
ことを特徴とする請求項４１に記載の端末デバイス。
【請求項４３】
前記送受信ユニットは、
検出したクラスタＩＤに前記クラスタＩＤが含まれ、且つ前記第１の端末デバイスがターゲットタイプ端末である場合、前記第１の端末デバイスにデータを送信し、又は、
検出したクラスタＩＤに前記クラスタＩＤが含まれ、且つ前記第１の端末デバイスの能力が前記検出したクラスタＩＤ内のその他のクラスタＩＤに対応する端末デバイスの能力より高い場合、前記第１の端末デバイスにデータを送信するように具体的に構成される、
ことを特徴とする請求項４２に記載の端末デバイス。
【請求項４４】
前記送受信ユニットは、
前記第１の端末デバイスにより送信される第１のリソース指示情報を受信し、
前記第１のリソース指示情報に示されるリソースにおいて、前記第１の端末デバイスに前記関連付け要求情報を送信するようにさらに構成される、
ことを特徴とする請求項４１〜４３のいずれか１項に記載の端末デバイス。
【請求項４５】
前記送受信ユニットは、
基地局により送信される前記クラスタＩＤと前記クラスタＩＤに対応する第２のリソース指示情報とを受信し、
前記第１の端末デバイスにより送信される前記クラスタＩＤに対応する第３のリソース割り当て指示情報を受信し、
前記第３のリソース指示情報に示されるリソースにおいて前記第１の端末デバイスに前記関連付け要求情報を送信し、
前記第２のリソース指示情報に示されるリソースにおいて、前記第１の端末デバイスに前記データを送信する、
ようにさらに構成され、前記第３のリソース割り当て指示情報に示されるリソースは、前記第２のリソース割り当て指示情報に示されるリソース内の一部のリソースである、
ことを特徴とする請求項４２又は４３に記載の端末デバイス。
【請求項４６】
基地局であって、受信ユニットと送信ユニットとを含み、
前記受信ユニットは、第１の端末デバイスにより送信される端末能力情報を受信するように構成され、前記端末能力情報は、前記第１の端末デバイスがデータを受信及び転送する能力を有することを示すために用いられ、
前記送信ユニットは、コアネットワークデバイスに前記端末能力情報を送信するように構成され、
前記受信ユニットは、前記コアネットワークデバイスにより送信される、前記第１の端末デバイスがデータを受信及び転送する能力を有することを確認する確認情報を受信するようにさらに構成され、
前記送信ユニットは、前記第１の端末デバイスが、前記確認情報に基づいて、第２の端末デバイスとの関連付けを確立することができるように、前記第１の端末デバイスに前記確認情報を送信するようにさらに構成される、
ことを特徴とする前記基地局。
【請求項４７】
前記受信ユニットは、
前記コアネットワークデバイスにより送信されるクラスタＩＤを受信するようにさらに構成され、前記クラスタＩＤは、前記第１の端末デバイスの所属するクラスタを一時的に示すために用いられ、前記クラスタＩＤは、前記コアネットワークデバイスが前記第１の端末デバイスがデータを受信及び転送する能力を有することを確定する時に確定されるものであり、
ここで、前記送信ユニットは、
前記第１の端末デバイスに前記クラスタＩＤを送信するようにさらに構成される、
ことを特徴とする請求項４６に記載の基地局。
【請求項４８】
前記受信ユニットは、
前記第１の端末デバイスにより送信されるアクセス層（ＡＳ）シグナリングを受信するように具体的に構成され、前記ＡＳ層シグナリングに前記端末能力情報が含まれる、
ことを特徴とする請求項４６又は４７に記載の基地局。
【請求項４９】
前記送信ユニットは、
前記第１の端末デバイスが前記第１のリソース割り当て指示情報に示されるリソース内の一部のリソースを前記第２の端末デバイスに割り当てることができるように、前記第１の端末デバイスに第１のリソース割り当て指示情報を送信するようにさらに構成される、
ことを特徴とする請求項４６〜４８のいずれか１項に記載の基地局。
【請求項５０】
前記送信ユニットは、
前記第２の端末デバイスが前記クラスタＩＤに基づいて、前記第１の端末デバイスにデータを送信し、又は前記第１の端末デバイスからデータを受信する時に占用するリソースを確定することができるように、前記第２の端末デバイスに前記クラスタＩＤと、前記クラスタＩＤに対応する第２のリソース割り当て指示情報とを送信するようにさらに構成される、
ことを特徴とする請求項４６〜４８のいずれか１項に記載の基地局。
【請求項５１】
コアネットワークデバイスであって、送受信ユニットと処理ユニットとを含み、
前記送受信ユニットは、第１の端末デバイスの端末能力情報を受信するように構成され、前記端末能力情報は、前記第１の端末デバイスがデータを受信及び転送する能力を有することを示すために用いられ、
前記処理ユニットは、前記端末デバイス能力情報に基づいて、前記第１の端末デバイスがデータを受信及び転送する能力を有するか否かを確定するように構成され、
前記送受信ユニットは、前記処理ユニットが前記端末能力情報に基づいて、前記第１の端末デバイスがデータを受信及び転送する能力を有することを確定した場合、前記第１の端末デバイスが前記確認情報に基づいて第２の端末デバイスとの関連付けを確立することができるように、前記第１の端末デバイスに前記第１の端末デバイスがデータを受信及び転送する能力を有することを確認する確認情報を送信するようにさらに構成される、
ことを特徴とする前記コアネットワークデバイス。
【請求項５２】
前記処理ユニットは、
前記端末能力情報に基づいて、前記第１の端末デバイスがデータを受信及び転送する能力を有することを確定した場合、前記第１の端末デバイスに割り当てるクラスタＩＤを確定するようにさらに構成され、前記クラスタＩＤは、前記第１の端末デバイスの所属するクラスタを一時的に示すために用いられ、
ここで、前記送受信ユニットは、
前記第１の端末デバイスに前記クラスタＩＤを送信するようにさらに構成される、
ことを特徴とする請求項５１に記載のコアネットワークデバイス。
【請求項５３】
前記処理ユニットは、
前記第１の端末デバイスの国際移動体加入者識別番号（ＩＭＳＩ）又は国際移動体装置識別番号（ＩＭＥＩ）に基づいて生成されるクラスタＩＤを前記第１の端末デバイスに割り当てるクラスタＩＤとして確定するように具体的に構成される、
ことを特徴とする請求項５２に記載のコアネットワークデバイス。
【請求項５４】
前記送受信ユニットは、
前記第１の端末デバイスにより送信される非アクセス層（ＮＡＳ）シグナリングを受信し、又は、
基地局により送信される前記端末能力情報を受信する、
ように具体的に構成され、前記ＮＡＳ層シグナリングに前記端末能力情報が含まれる、
ことを特徴とする請求項５１〜５３のいずれか１項に記載のコアネットワークデバイス。
【発明の詳細な説明】
【技術分野】
【０００１】
本発明は通信分野に関し、特に端末デバイス間の関連付けを確立するための方法及びデバイスに関する。
【背景技術】
【０００２】
現在の無線通信システムにおいて、伝統的な意味における携帯端末以外に、ますます多くの各種のその他のタイプの端末が現れ、スマートブレスレット、無線テレビ、スマートメガネ、ロボット、腕時計などを含む。これらのインテリジェント端末は、様々な技術でネットワークに接続し、又はその他の端末と接続する。スマートブレスレットは、ブルートゥースによって携帯電話と接続して情報を伝送し、無線テレビはＷｉＦｉ（Ｗｉｒｅｌｅｓｓ  Ｆｉｄｅｌｉｔｙ）によってネットワークと接続してテレビ番組をダウンロード又はアップロードし、スマートメガネは、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モジュール又はロング・ターム・エボリューション（ＬＴＥ：Ｌｏｎｇ  Ｔｅｒｍ  Ｅｖｏｌｕｔｉｏｎ）モジュールによって、ネットワークと接続して情報を交換し、ロボットは、ＷｉＦｉモードによって、ネットワーク又は携帯電話と接続し、腕時計は、ＷｉＦｉ又はブルートゥースによって、ネットワーク又は携帯電話と接続する。
【０００３】
将来、全ての端末において、人間を中心にして系統的なウェアラブルデバイスシステムが構成され、それによって、人間を中心とするネットワークが形成される。このネットワークは、常に人間を中心とし、しかもリアルタイム的に移動できるネットワークであり、ネットワークの構成は、従来の携帯電話以外に、メガネ、帽子、イヤリング、ネックレス、ブレスレット、腕時計、ベルト、靴、服、ズボン等を含む。これらの端末は、センサー、カメラ、受話器等の部品によって、人間の聴覚、視覚、嗅覚、及び触覚を極致まで発揮させ、それによって、より良いサービスと体験を人間に提供する。
【０００４】
現在のウェアラブルデバイスが、その他の端末及びその他のネットワークと使用されている主な接続方式は、ＷｉＦｉ接続とブルートゥース接続を含む。将来、ＬＴＥ通信システムによってウェアラブルシステムに、より低いコスト、省エネルギーの接続方式を提供することができる。
【発明の概要】
【０００５】
本発明は、端末デバイス間の関連付けを確立するための方法及びデバイスを提供し、現行のＬＴＥ通信システムに基づいて、端末デバイスと端末デバイスとの関連を付けてデータ伝送を行い、これによって、端末デバイスのパワー、端末デバイス間の通信コストを省くことができ、しかも端末デバイスのデータをネットワークに送信することもでき、それによって、ユーザが随時に必要な情報を共有、又は取得することができる。
【０００６】
第１の態様において、端末デバイス間の関連付けを確立するための方法を提供し、第１の端末デバイスが、ネットワーク側デバイスに端末能力情報を送信することと、前記第１の端末デバイスが、前記ネットワーク側デバイスにより送信される前記第１の端末デバイスがデータを受信及び転送する能力を有することを確認する確認情報を受信することと、前記第１の端末デバイスが、前記確認情報に基づいて、第２の端末デバイスとの関連付けを確立することとを含み、前記端末能力情報は、前記第１の端末デバイスがデータを受信及び転送する能力を有することを示すために用いられる。
【０００７】
任意選択で、第１の端末デバイスは、基地局により送信されるデータを受信し、受信されたデータをその他の端末デバイスに転送することができ、第１の端末デバイスは、その他の端末デバイスにより送信されるデータを受信し、受信されたデータを基地局に転送することができる。
【０００８】
なお、端末デバイスと端末デバイスとの関連付けは、この二つの端末デバイスが互いの情報をインタラクションする必要があることを理解しても良い。これからの情報は、例えば、デバイスのタイプ、デバイスの識別子（ＩＤ）、データ送信の周期、データの遅延に対する要求等を含むことができる。関連付けた端末デバイスは互いに通信することができる。
【０００９】
そのため、本発明の実施例における端末デバイス間の関連付けを確立するための方法は、現行のＬＴＥ通信システムに基づいて、端末デバイスと端末デバイスとの関連を付けてデータ伝送を行い、それによって、端末デバイスのパワー及び端末デバイス間の通信コストを省くことができ、しかも端末デバイスのデータをネットワークに送信することもでき、それによって、ユーザは、随時に必要な情報を共有又は取得することができる。
【００１０】
第１の態様を結合して、第１の態様の第１の可能な実現形態において、前記第１の端末デバイスが、前記確認情報に基づいて、前記第２の端末デバイスとの関連付けを確立することは、前記第１の端末デバイスが、前記確認情報を受信した後に、前記第２の端末デバイスにより送信される関連付け要求情報を受信してユーザに呈することと、前記第１の端末デバイスが、前記ユーザにより入力される前記第２の端末デバイスのデバイス情報に基づいて確定された応答情報を受信することと、前記応答情報が前記第２の端末デバイスとの関連付けを確立するように前記第１の端末デバイスに指示する場合、前記第１の端末デバイスが、前記第２の端末デバイスとの関連付けを確立することとを含み、前記関連付け要求情報に前記第２の端末デバイスのデバイス情報が含まれ、前記応答情報は、前記第２の端末デバイスとの関連付けを確立するか否かを前記第１の端末デバイスに指示するために用いられる。
【００１１】
第１の態様を結合して、第１の態様の第２の可能な実現形態において、前記第１の端末デバイスが、前記確認情報に基づいて、前記第２の端末デバイスとの関連付けを確立することは、前記第１の端末デバイスが、前記確認情報を受信した後に、前記第２の端末デバイスにより送信される関連付け要求情報を受信することと、前記第１の端末デバイスが、記憶されている関連付け情報と前記第２の端末デバイスのデバイス情報とに基づいて、前記第２の端末デバイスとの関連付けを確立するか否かを確定することと、前記第１の端末デバイスが前記第２の端末デバイスとの関連付けの確立を確定する場合、前記第１の端末デバイスが、前記第２の端末デバイスとの関連付けを確立することと、を含み、前記関連付け要求情報に前記第２の端末デバイスのデバイス情報が含まれる。
【００１２】
第１の態様の第１の可能な実現形態を結合して、第１の態様の第３の可能な実現形態において、前記第１の端末デバイスが前記確認情報を受信した後に、前記方法は、前記第１の端末デバイスが、前記第２の端末デバイスに第１のリソース割り当て指示情報を送信することをさらに含み、
ここで、前記第１の端末デバイスが前記第２の端末デバイスにより送信される関連付け要求情報を受信することは、前記第１の端末デバイスが、前記第１のリソース割り当て指示情報に示されるリソースにおいて、前記関連付け要求情報を受信することと、を含む。
【００１３】
任意選択で、第１の端末デバイスに専用リソース又は共有リソースプールを事前に構成しても良く、第１の端末デバイスは、予め構成された専用リソース又は共有リソースの上で、第１の端末デバイスと関連付ける端末デバイスに対して、リソース割り当てスケジューリングを行うことができる。
【００１４】
第１の態様の第３の可能な実現形態を結合して、第１の態様の第４の可能な実現形態において、前記方法は、前記第１の端末デバイスが、前記ネットワーク側デバイスにより送信される第２のリソース割り当て指示情報を受信することをさらに含み、ここで、前記第２のリソース割り当て指示情報に示されるリソースに前記第１のリソース指示情報に示されるリソースが含まれる。
【００１５】
ネットワーク側デバイスが、第２のリソース割り当て指示情報によって第１の端末デバイスにリソースを構成し、これらのリソースが、第１の端末デバイスによって異なる端末デバイスとの関連付けを確立してデータ通信を行うように用いられることをさらに理解してもよい。
【００１６】
第１の態様、第１の態様の第１〜第４の可能な実現形態のうちのいずれか一つの可能な実現形態を結合して、第１の態様の第５の可能な実現形態において、前記方法は、前記第１の端末デバイスが、前記ネットワーク側デバイスより送信されるクラスタ識別子（ＩＤ）を受信することと、前記第２の端末デバイスが前記第１の端末デバイスにデータを送信し、又は前記第１の端末デバイスからデータを受信する前に、前記クラスタＩＤに基づいて、前記第１の端末デバイスにアクセスすることができるか否か、またデータを送信又は受信する時に占用するリソースを確定することができるように、前記第１の端末デバイスが、前記第２の端末デバイスに前記クラスタＩＤを送信することと、をさらに含み、前記クラスタＩＤは、前記第１の端末デバイスの所属するクラスタを一時的に示すために用いられ、前記クラスタＩＤは、前記ネットワーク側デバイスが前記第１の端末デバイスがデータを受信及び転送する能力を有することを確定する時に、前記第１の端末デバイスに割り当てられるものである。
【００１７】
つまり、ネットワーク側デバイスは、第１の端末デバイスがデータを受信及び転送する機能を有することを確定する時に、第１の端末デバイスに一つの識別子を割り当て、この識別子は、第１の端末デバイスの一時的に所属するクラスタを識別することができる。
【００１８】
第１の態様、第１の態様の第１〜第５の可能な実現形態のうちのいずれか一つの可能な実現形態を結合して、第１の態様の第６の可能な実現形態において、前記方法は、前記第１の端末デバイスが、前記第２の端末デバイスにより送信されるデータを受信することと、前記第１の端末デバイスが、前記第１の端末デバイスの状況とサービス品質（ＱｏＳ）指示情報とに基づいて、前記ネットワーク側デバイスに前記データを送信することと、をさらに含み、前記ＱｏＳ指示情報は、前記データがＱｏＳに対する要求を示す。
【００１９】
第１の端末デバイスは、第２の端末デバイスにより送信されるデータを受信した時に、受信されたデータをネットワークに送信するように選択することができ、それによって、ユーザは、必要とする情報を随時に共有又は取得することができる。
【００２０】
第１の態様の第６の可能な実現形態を結合して、第１の方法の第７の可能な実現形態において、前記第１の端末デバイスが、前記第１の端末デバイスの状況とＱｏＳ指示情報とに基づいて、前記ネットワーク側デバイスに前記データを送信することは、前記第１の端末デバイスが接続状態にある場合、前記第１の端末デバイスが、前記データを成功に受信する時刻からの第１の持続時間内において、前記ネットワーク側デバイスに前記データを送信すること、又は、前記第１の端末デバイスがアイドル状態にあり、且つ前記ＱｏＳ指示情報が、前記データが遅延に敏感なデータであり、又は前記データの要求する伝送遅延が第１の予め設定された値より小さいことを示す場合、前記第１の端末デバイスが、前記データを成功に受信する時刻からの第２の持続時間内において、前記ネットワーク側デバイスとの接続を確立し、接続を確立してから前記ネットワーク側デバイスに前記データを送信すること、又は、前記第１の端末デバイスがアイドル状態にあり、且つ前記ＱｏＳ指示情報が、前記データが遅延に敏感でないデータであることを示す場合、前記第１の端末デバイスが前記データを成功に受信した時刻からの第３の持続時間内において、前記ネットワーク側デバイスと接続を確立した場合、前記第１の端末デバイスが前記基地局に前記データを送信すること、又は、前記第１の端末デバイスがアイドル状態にあり、且つ前記ＱｏＳ指示情報が、前記データが伝送遅延に対して要求しないことを示す場合、前記第１の端末デバイスが前記データを成功に受信した時刻からの第４の持続時間内において、自身のサービスニーズに基づいて前記ネットワーク側デバイスとの接続を確立した場合、前記第１の端末デバイスが、前記ネットワーク側デバイスに前記データを送信すること、を含む。
【００２１】
任意選択で、第２の端末デバイスは、第１の端末デバイスとの関連付けを確立する時に、伝送する必要なデータ（又は情報）が遅延に敏感な情報であるか否か、及び／又は遅延要求が含まれるか否かを第１の端末デバイスに知らせる。
【００２２】
第１の態様の第６の又は第７の可能な実現形態を結合して、第１の態様の第８の可能な実現形態において、前記第２の端末デバイスにより送信されるデータを受信することは、前記第２の端末デバイスにより送信されるデータと前記ＱｏＳ指示情報とを受信することを含む。
【００２３】
換言すれば、第２の端末デバイスは、第１の端末デバイスにデータを送信すると同時に、データのＱｏＳに対する要求、例えば、データが遅延に敏感なデータであるか否か、及び／又は遅延要求が含まれるデータであるか否かを搬送することができる。
【００２４】
第１の態様、第１の態様の第１〜第８の可能な実現形態のいずれか一つの可能な実現形態を結合して、第１の態様の第９の可能な実現形態において、前記第１の端末デバイスが前記ネットワーク側デバイスに端末能力情報を送信することは、前記第１の端末デバイスが、基地局にアクセス層（ＡＳ）シグナリングを送信すること、及び／又は、前記第１の端末デバイスが、コアネットワークデバイスに非アクセス層（ＮＡＳ）シグナリングを送信すること、を含み、前記ＡＳ層シグナリングに前記端末能力情報が含まれ、前記ＮＡＳシグナリングに前記端末能力情報が含まれる。
【００２５】
任意選択で、第１の端末デバイスは、基地局に接続確立要求メッセージ又は接続確立完成メッセージを送信することができ、接続確立要求メッセージ又は接続確立完成メッセージに、端末能力情報が含まれ、コアネットワークデバイスが第１の端末デバイスがデータを受信及び転送する能力を有するか否かを確定することできるように、基地局は、受信された端末能力情報をコアネットワークデバイスに転送する。
【００２６】
第１の態様の第１の又は第２の可能な実現形態を結合して、第１の態様の第１０の可能な実現形態において、前記第２の端末デバイスのデバイス情報は、前記第２の端末デバイスのＩＤ、前記第２の端末デバイスのタイプ、前記第２の端末デバイスのデータ送信周期、ＱｏＳ指示情報のうちの少なくとも一つを含む。
【００２７】
第１の態様の第３の可能な実現形態を結合して、第１の態様の第１１の可能な実現形態において、前記第１の端末デバイスが前記第２の端末デバイスに前記クラスタＩＤを送信することは、前記第１の端末デバイスが、前記第２の端末デバイスにブロードキャストメッセージを送信することを含み、前記ブロードキャストメッセージに前記クラスタＩＤが含まれる。
【００２８】
第１の態様の第１１の可能な実現形態を結合して、第１の態様の第１２の可能な実現形態において、前記ブロードキャストメッセージは、前記第１の端末デバイスのデバイス情報をさらに含み、前記第１の端末デバイスのデバイス情報は、タイプ情報と電量情報とのうちの少なくとも一つを含む。
【００２９】
ここで、タイプ情報は、当該第１のタイプの端末デバイスがインテリジェント端末又は非インテリジェント端末であることを具体的に示し、電量情報は第１の端末デバイスが高電量状態であるかそれとも低電量状態であるかを具体的に示し、又は第１の端末デバイスの電量の大きさを直接示すことができる。
【００３０】
第２の態様において、端末デバイス間の関連付けを確立するための方法を提供し、第２の端末デバイスが、第１の端末デバイスより送信されるクラスタ識別子（ＩＤ）を受信することと、前記第２の端末デバイスが、前記第１の端末デバイスに関連付け要求情報を送信することと、前記第２の端末デバイスが、前記第１の端末デバイスとの関連付けを確立するために、前記第１の端末デバイスにより送信される関連付け確認情報を受信した場合、前記クラスタＩＤを記憶することと、を含み、前記クラスタＩＤは、前記第１の端末デバイスの所属するクラスタを一時的に示すために用いられ、前記クラスタＩＤは、ネットワーク側デバイスが、前記第１の端末デバイスがデータを受信及び転送する能力を有することを確定する時に、前記第１の端末デバイスに割り当てられ、前記第１の端末デバイスに送信されるものであり、前記関連付け要求情報に前記第２の端末デバイスのデバイス情報が含まれ、ここで、前記関連付け確認情報は、ユーザ又は前記第１の端末デバイスが前記デバイス情報に基づいて前記第１の端末デバイスと前記第２の端末デバイスとの関連付けを確定する時に、前記第１の端末デバイスが前記第２の端末デバイスに送信するものである。
【００３１】
任意選択で、第２の端末デバイスは、第１の端末デバイスにより送信されるブロードキャストメッセージを受信し、ブロードキャストメッセージに前記クラスタＩＤが含まれ、しかも前記ブロードキャストメッセージに前記第１の端末デバイスのデバイス情報がさらに含まれることができ、前記第１の端末デバイスのデバイス情報は、タイプ情報と電量情報とのうちの少なくとも一つを含む。タイプ情報は、当該第１のタイプの端末デバイスがインテリジェント端末又は非インテリジェント端末であることを具体的に示し、電量情報は第１の端末デバイスが高電量状態であるかそれとも低電量状態であるかを具体的に示し、又は第１の端末デバイスの電量の大きさを直接示すことができる。
【００３２】
そのため、本発明の実施例における端末デバイス間の関連付けを確立するための方法は、現行のＬＴＥ通信システムに基づいて、端末デバイスと端末デバイスとを関連付け、データの伝送を行うことができ、それによって、端末デバイスのパワー及び端末デバイス間の通信コストを省き、しかも端末デバイスのデータをネットワークに送信することもでき、それによって、ユーザは、必要とする情報を随時に共有又は取得することができる。
【００３３】
第２の態様を結合して、第２の態様の第１の可能な実現形態において、前記方法は、前記第２の端末デバイスが、検出したクラスタＩＤと前記クラスタＩＤとの関係に基づいて、前記第１の端末デバイスにデータを送信することをさらに含む。
【００３４】
第２の態様の第１の可能な実現形態を結合して、第２の態様の第２の可能な実現形態において、前記第２の端末デバイスが、検出したクラスタＩＤと前記クラスタＩＤとの関係に基づいて、前記第１の端末デバイスにデータを送信することは、前記第２の端末デバイスが、検出したクラスタＩＤに前記クラスタＩＤが含まれ、且つ前記第１の端末デバイスがターゲットタイプ端末である場合、前記第２の端末デバイスが、前記第１の端末デバイスにデータを送信すること、又は、
前記第２の端末デバイスが検出したクラスタＩＤに前記クラスタＩＤが含まれ、且つ前記第１の端末デバイスの能力が前記検出したクラスタＩＤ内のその他のクラスタＩＤに対応する端末デバイスの能力より高い場合、前記第２の端末デバイスが、前記第１の端末デバイスにデータを送信することを含む。
【００３５】
例を挙げて説明すれば、第２の端末デバイスが検出した複数のクラスタＩＤにインテリジェント端末が存在する場合、インテリジェント端末を優先的に選択してデータ伝送を行い、又は、第２の端末デバイスが検出した複数のクラスタＩＤに対応する端末デバイスの中に複数のインテリジェント端末デバイス、又は非インテリジェント端末デバイスが存在すると、第２の端末デバイスは、端末デバイスの能力、電量等に基づいて、データ伝送を行う端末デバイスを選択する。例えば、電量＞予め設定された値、しかも伝送能力がＬＴＥをサポートする端末デバイスを選択してデータ伝送を行う。また、複数の端末デバイスの能力が同じである場合、一つの端末デバイスをランダムに選択してデータ伝送を行う。
【００３６】
第２の態様、第２の態様の第１の又は第２の可能な実現形態のいずれか一つの可能な実現形態を結合して、第２の態様の第３の可能な実現形態において、前記方法は、前記第２の端末デバイスが、前記第１の端末デバイスにより送信される第１のリソース指示情報を受信することをさらに含み、
ここで、前記第２の端末デバイスが、前記第１の端末デバイスに関連付け要求情報を送信することは、
前記第２の端末デバイスが、前記第１のリソース指示情報に示されるリソースにおいて前記第１の端末デバイスに前記関連付け要求情報を送信することを含む。
【００３７】
第２の態様の第１の又は第２の可能な実現形態を結合して、第１の態様の第４の可能な実現形態において、前記方法は、前記第２の端末デバイスが、基地局により送信される前記クラスタＩＤ、及び前記クラスタＩＤに対応する第２のリソース指示情報を受信すること、をさらに含み、
ここで、前記第２の端末デバイスが、前記第１の端末デバイスに関連付け要求情報を送信することは、
前記第２の端末デバイスが、前記第１の端末デバイスにより送信される前記クラスタＩＤに対応する第３のリソース割り当て指示情報を受信することと、前記第２の端末デバイスが、前記第３のリソース割り当て指示情報に示されるリソースにおいて前記第１の端末デバイスに前記関連付け要求情報を送信することと、を含み、前記第３のリソース割り当て指示情報に示されるリソースは、前記第２のリソース割り当て指示情報に示されるリソース内の一部のリソースであり、
ここで、前記第２の端末デバイスが、前記第１の端末デバイスにデータを送信することは、前記第２の端末デバイスが、前記第２のリソース指示情報に示されるリソースにおいて、前記第１の端末デバイスに前記データを送信すること、を含む。
【００３８】
基地局が第２の端末デバイスに送信したリソース割り当て指示情報は、クラスタＩＤによって識別されるものであることを理解することが可能であり、第２の端末デバイスは、クラスタＩＤを含むリソース割り当て指示情報に基づいて、データ伝送を行う端末デバイス、及び当該端末デバイスにデータを送信し又は当該端末デバイスにより送信されるデータを受信する時に占用するリソースを確定することができる。
【００３９】
第３の態様において、端末デバイス間の関連付けを確立するための方法を提供し、基地局が、第１の端末デバイスにより送信される端末能力情報を受信することと、前記基地局が、コアネットワークデバイスに前記端末能力情報を送信することと、前記基地局が、前記コアネットワークデバイスにより送信される前記第１の端末デバイスがデータを受信及び転送する能力を有することを確認する確認情報を受信することと、前記第１の端末デバイスが、前記確認情報に基づいて、第２の端末デバイスとの関連付けを確立することができるように、前記基地局が、前記第１の端末デバイスに前記確認情報を送信することと、を含み、前記端末能力情報は、前記第１の端末デバイスがデータを受信及び転送する能力を有することを示すために用いられる。
【００４０】
そのため、本発明の実施例における端末デバイス間の関連付けを確立するための方法は、現行のＬＴＥ通信システムに基づいて、端末デバイスと端末デバイスとを関連付け、データの伝送を行うことができ、それによって、端末デバイスのパワー及び端末デバイス間の通信コストを省くことができ、しかも端末デバイスのデータをネットワークに送信することもでき、それによって、ユーザは、必要とする情報を随時に共有又は取得することができる。
【００４１】
第３の態様を結合して、第３の態様の第１の可能な実現形態において、前記方法は、前記基地局が、前記コアネットワークデバイスにより送信されるクラスタＩＤを受信することと、前記基地局が、前記第１の端末デバイスに前記クラスタＩＤを送信することと、をさらに含み、前記クラスタＩＤは、前記第１の端末デバイスの所属するクラスタを一時的に示すために用いられ、前記クラスタＩＤは、前記コアネットワークデバイスが、前記第１の端末デバイスがデータを受信及び転送する能力を有することを確定する時に確定されるものである。
【００４２】
第３の態様又は第３の態様の第１の可能な実現形態を結合して、第３の態様の第２の可能な実現形態において、前記基地局が前記第１の端末デバイスにより送信される端末能力情報を受信することは、前記基地局が、前記第１の端末デバイスにより送信されるアクセス層（ＡＳ）シグナリングを受信すること、を含み、前記ＡＳ層シグナリングに前記端末能力情報が含まれる。
【００４３】
第３の態様、第３の態様の第１の又は第２の可能な実現形態のいずれか一つの可能な実現形態を結合して、第３の態様の第３の可能な実現形態において、前記方法は、前記第１の端末デバイスが前記第１のリソース割り当て指示情報に示されるリソース内の一部のリソースを前記第２の端末デバイスに割り当てることができるように、前記基地局が、前記第１の端末デバイスに第１のリソース割り当て指示情報を送信することをさらに含む。
【００４４】
第３の態様、第３の態様の第１の又は第２の可能な実現形態のいずれか一つの可能な実現形態を結合して、第１の態様の第４の可能な実現形態において、前記方法は、前記第２の端末デバイスが前記クラスタＩＤに基づいて、前記第１の端末デバイスにデータを送信し、又は前記第１の端末デバイスからデータを受信する時に占用するリソースを確定することができるように、前記基地局が、前記第２の端末デバイスに前記クラスタＩＤと前記クラスタＩＤに対応する第２のリソース割り当て指示情報とを送信すること、をさらに含む。
【００４５】
第４の態様において、端末デバイス間の関連付けを確立するための方法を提供し、コアネットワークデバイスが、第１の端末デバイスの端末能力情報を受信することと、前記コアネットワークデバイスが前記端末能力情報に基づいて、前記第１の端末デバイスがデータを受信及び転送する能力を有することを確定した場合、前記第１の端末デバイスが前記確認情報に基づいて第２の端末デバイスとの関連付けを確立することができるように、前記コアネットワークデバイスが、前記第１の端末デバイスに前記第１の端末デバイスがデータを受信及び転送する能力を有することを確認する確認情報を送信することと、を含み、前記端末能力情報は、前記第１の端末デバイスがデータを受信及び転送する能力を有することを示すために用いられる。
【００４６】
そのため、本発明の実施例における端末デバイス間の関連付けを確立するための方法は、現行のＬＴＥ通信システムに基づいて、端末デバイスと端末デバイスとの関連を付けてデータ伝送を行い、それによって、端末デバイスのパワー及び端末デバイス間の通信コストを省くことができ、しかも端末デバイスのデータをネットワークに送信することもでき、それによって、ユーザは、随時に必要な情報を共有又は取得することができる。
【００４７】
第４の態様を結合して、第４の態様の第１の可能な実現形態において、前記方法は、前記コアネットワークデバイスが前記端末能力情報に基づいて、前記第１の端末デバイスがデータを受信及び転送する能力を有することを確定した場合、前記コアネットワークデバイスが、前記第１の端末デバイスに割り当てるクラスタＩＤを確定することと、前記コアネットワークデバイスが、前記第１の端末デバイスに前記クラスタＩＤを送信することと、をさらに含み、前記クラスタＩＤは、前記第１の端末デバイスの所属するクラスタを一時的に示すために用いられる。
【００４８】
第４の態様の第１の可能な実現形態を結合して、第４の態様の第２の可能な実現形態において、前記コアネットワークデバイスが、前記第１の端末デバイスに割り当てるクラスタＩＤを確定することは、前記コアネットワークデバイスが、前記第１の端末デバイスの国際移動体加入者識別番号（ＩＭＳＩ）又は国際移動体装置識別番号（ＩＭＥＩ）に基づいて生成されるクラスタＩＤを前記クラスタＩＤとして確定することと、を含む。
【００４９】
第４の態様、第４の態様の第１の又は第２の可能な実現形態のいずれか一つの可能な実現形態を結合して、第４の態様の第３の可能な実現形態において、前記コアネットワークデバイスが第１の端末デバイスの端末能力情報を受信することは、前記コアネットワークデバイスが、前記第１の端末デバイスにより送信される非アクセス層（ＮＡＳ）シグナリングを受信すること、又は、前記コアネットワークデバイスが、基地局により送信される前記端末能力情報を受信すること、を含み、前記ＮＡＳ層シグナリングに前記端末能力情報が含まれる。
【００５０】
第５の態様において、端末デバイスを提供し、前記端末デバイスは、上記の第１の態様又は第１の態様のいずれかの可能な実現形態における方法を実施するように構成される。具体的に、前記端末デバイスは、上記の第１の態様又は第１の態様のいずれかの可能な実現形態の方法を実施するように構成されるユニットを含む。
【００５１】
第６の態様において、端末デバイスを提供し、前記端末デバイスは、上記の第２の態様又は第２の態様のいずれかの可能な実現形態における方法を実施するように構成される。具体的に、前記端末デバイスは、上記の第２の態様又は第２の態様のいずれかの可能な実現形態の方法を実施するように構成されるユニットを含む。
【００５２】
第７の態様において、基地局を提供し、前記基地局は、上記の第３の態様又は第３の態様のいずれかの可能な実現形態における方法を実施するように構成される。具体的に、前記基地局は、上記の第３の態様又は第３の態様のいずれかの可能な実現形態の方法を実施するように構成されるユニットを含む。
【００５３】
第８の態様において、コアネットワークデバイスを提供し、上記の第４の態様又は第４の態様のいずれかの可能な実現形態における方法を実施するように構成される。具体的に、前記コアネットワークデバイスは、上記の第４の態様又は第４の態様のいずれかの可能な実現形態の方法を実施するように構成されるユニットを含む。
【００５４】
第９の態様において、端末デバイスを提供し、プロセッサ、記憶装置、レシーバー、及びトランスミッターを含み、当該プロセッサ、当該記憶装置、当該レシーバー、及び当該トランスミッターは、バスシステムを介して接続され、当該記憶装置は命令を記憶するように構成され、情報を受信するように当該レシーバーを制御し、情報を送信するようにトランスミッターを制御し、当該端末デバイスが上記の第１の態様又は第１の態様のいずれかの可能な実現形態における方法を実行することができるように、当該プロセッサは、当該記憶装置に記憶される命令を実行するように構成される。
【００５５】
第１０の態様において、端末デバイスを提供し、プロセッサ、記憶装置、レシーバー、及びトランスミッターを含み、当該プロセッサ、当該記憶装置、当該レシーバー、及び当該トランスミッターは、バスシステムを介して接続され、当該記憶装置は命令を記憶するように構成され、情報を受信するように当該レシーバーを制御し、情報を送信するようにトランスミッターを制御し、当該端末デバイスが上記の第２の態様又は第２の態様のいずれかの可能な実現形態における方法を実行することができるように、当該プロセッサは、当該記憶装置に記憶される命令を実行するように構成される。
【００５６】
第１１の態様において、基地局を提供し、プロセッサ、記憶装置、レシーバー、及びトランスミッターを含み、当該プロセッサ、当該記憶装置、当該レシーバー、及び当該トランスミッターは、バスシステムを介して接続され、当該記憶装置は命令を記憶するように構成され、情報を受信するように当該レシーバーを制御し、情報を送信するようにトランスミッターを制御し、当該基地局が上記の第３の態様又は第３の態様のいずれかの可能な実現形態における方法を実行することができるように、当該プロセッサは、当該記憶装置に記憶される命令を実行するように構成される。
【００５７】
第１２の態様において、コアネットワークデバイスを提供し、プロセッサ、記憶装置、レシーバー、及びトランスミッターを含み、当該プロセッサ、当該記憶装置、当該レシーバー、及び当該トランスミッターは、バスシステムを介して接続され、当該記憶装置は命令を記憶するように構成され、情報を受信するように当該レシーバーを制御し、情報を送信するようにトランスミッターを制御し、当該コアネットワークデバイスが上記の第４の態様又は第４の態様のいずれかの可能な実現形態における方法を実行することができるように、当該プロセッサは、当該記憶装置に記憶される命令を実行するように構成される。
【図面の簡単な説明】
【００５８】
【図１】本発明の実施例の応用場面の概略図である。
【図２】本発明の実施例による端末デバイス間の関連付けを確立するための方法の概略的フローチャートである。
【図３】本発明の実施例による端末デバイスの概略的ブロック図である。
【図４】本発明の別の一つの実施例による端末デバイスの概略的ブロック図である。
【図５】本発明のもう一つの実施例による端末デバイスの概略的ブロック図である。
【図６】本発明のもう一つの実施例のもう一つの端末デバイスの概略的ブロック図である。
【図７】本発明の実施例による基地局の概略的ブロック図である。
【図８】本発明の別の一つの実施例による基地局の概略的ブロック図である。
【図９】本発明の実施例によるコアネットワークデバイスの概略的ブロック図である。
【図１０】本発明の別の一つの実施例によるコアネットワークデバイスの概略的ブロック図である。
【発明を実施するための形態】
【００５９】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００６０】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００６１】
なお、本発明の実施例に係る技術案は、様々な通信システム、例えば、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、及び将来の５Ｇ通信システムなどに適用されることができる。
【００６２】
本発明の実施例において、端末機器（Ｔｅｒｍｉｎａｌ  Ｅｑｕｉｐｍｅｎｔ）は、ユーザ設備、モバイルステーション（ＭＳ：Ｍｏｂｉｌｅ  Ｓｔａｔｉｏｎ）、移動端末（Ｍｏｂｉｌｅ  Ｔｅｒｍｉｎａｌ）等を称しても良く、当該ユーザ設備は、無線アクセスネットワーク（ＲＡＮ：Ｒａｄｉｏ  Ａｃｃｅｓｓ  Ｎｅｔｗｏｒｋ）を介して、一つ又は複数のコアネットワークと通信を行うことができ、例えば、ユーザ設備は、携帯電話（又は「セルラー電話」とも称する）、移動端末を有するコンピュータ等であっても良く、例えば、ポータブル型、コンパクト型、ハンドヘルド型、コンピュータ内蔵型又は、車載の移動デバイス、及び将来５Ｇネットワークにおける端末機器又は将来進化型のＰＬＭＮネットワークにおける端末機器等であっても良い。
【００６３】
なお、本発明の実施例において、ネットワーク側デバイスは、ユーザデバイスと通信するためのデバイスであってもよく、当該ネットワーク側デバイスは、ＬＴＥシステムにおける進化型基地局（Ｅｖｏｌｕｔｉｏｎａｌ  Ｎｏｄｅ  Ｂ、「ｅＮＢ」又は「ｅＮｏｄｅＢ」と略称する）であっても良く、又は前記ネットワークデバイスは、中継局、アクセスポイント、車載デバイス、ウェアラブルデバイス及び将来の５Ｇネットワークにおけるネットワーク側デバイス、又は将来進化型のＰＬＭＮネットワークにおけるネットワーク側デバイスなどであっても良い。
【００６４】
図１には、本発明の実施例の一つの応用場面を示しており、図１に示すように、人間を中心とするネットワークは、従来の携帯電話以外に、メガネ、帽子、スマートウォッチ、靴などの端末デバイスも含み、これらの端末は、センサー、カメラ、受話器等によって、人間の聴覚、視覚、嗅覚、及び触覚を極致まで発揮させ、それによって、より良いサービスと体験を人間に提供する。
【００６５】
ここで、図１に示すように、携帯電話がその他の端末デバイスと比べて高い能力、電量充足などの特性があるため、携帯電話は、その他の端末デバイスの情報を収取し、それをネットワークに送信し、それによってユーザが随時に必要な情報を共有、又は取得することができる。
【００６６】
なお、図１に示されるこれらのデバイスは例示するためだけであり、本発明の範囲を限定するわけではない。
【００６７】
図２には、本発明の実施例による端末デバイス間の関連付けを確立するための方法を示しており、図２に示すように、当該方法１００は、Ｓ１１０〜Ｓ１３０を含む。
【００６８】
Ｓ１１０において、第１の端末デバイスは、ネットワーク側デバイスに端末能力を報告する。
【００６９】
第１の端末デバイスは、ユーザの許可を得た後に、ネットワーク側デバイスに自身のデータを受信及び転送する能力を報告する。通常、第１の端末デバイスは、アクセス層（ＡＳ：Ａｃｃｅｓｓ  Ｓｔｒａｔｕｍ）シグナリングによって端末能力情報を搬送し、端末能力情報を基地局に送信し、例えば、第１の端末デバイスは、接続確立要求メッセージ又は接続確立完成メッセージによって、端末能力情報を搬送し、端末能力を基地局に報告し、基地局は、端末能力情報を受信した後に、コアネットワークデバイス（例えば、モビリティ管理エンティティ（ＭＭＥ：Ｍｏｂｉｌｅ  Ｍａｎａｇｅｎｍｅｎｔ  Ｅｎｔｉｔｙ）に端末能力情報を転送し、コアネットワークデバイスは、端末能力情報を受信してから、第１の端末デバイスの能力に対して検証を行い、第１の端末デバイスがデータを受信及び転送する能力を有するか否かを確認する。第１の端末デバイスは、非アクセス層シグナリング（ＮＡＳ：Ｎｏｎ−Ａｃｃｅｓｓ  Ｓｔｒａｔｕｍ）によって端末能力情報を搬送し、コアネットワークデバイスに自身の能力を報告することもできる。第１の端末デバイスは、ＡＳ層シグナリングによって基地局に端末能力を報告すると同時に、ＮＡＳシグナリングによってコアネットワークデバイスに端末能力を報告することもできる。
【００７０】
任意選択で、第１の端末デバイスにより送信される端末能力情報は、第１の端末デバイスがデータを受信及び転送する能力を有すること明示的に示すことができ、端末能力情報は、暗示的に示す方式を採用することもでき、例えば、端末能力情報は、第１の端末デバイスの電量であっても良く、コアネットワークデバイスは、第１の端末デバイスの電量に基づいて、第１の端末デバイスの能力を確定し、本発明は、それに限らない。
【００７１】
Ｓ１２０において、ネットワーク側デバイスは、第１の端末デバイスに端末能力確認情報を送信する。
【００７２】
コアネットワークデバイスは、第１の端末デバイスが合法であるか否か、及びデータを受信及び転送する能力を有するか否かを確認し、コアネットワークデバイスは、第１の端末デバイスが合法であり、且つ第１の端末デバイスがデータを受信及び転送する能力を有することを確認する時に、確認結果のフィードバックを第１の端末デバイスに転送する。
【００７３】
コアネットワークデバイスは、基地局に第１の端末デバイスがデータを受信及び転送する能力を有することを確認する確認情報を送信し、基地局は、確認情報を第１の端末デバイスに転送する。
【００７４】
さらに、基地局は、第１の端末デバイスに確認情報を転送すると同時に、基地局が第１の端末デバイスに割り当てるリソースを第１の端末デバイスに指示することもできる。
【００７５】
任意選択で、コアネットワークデバイスは、第１の端末デバイスがデータを受信及び転送する能力を有することを確定する時に、第１の端末デバイスにクラスタＩＤを割り当て、クラスタＩＤが、第１の端末デバイスの所属するクラスタを一時的に識別し、任意選択で、コアネットワークデバイスは、第１の端末デバイスの国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）又は国際移動体装置識別番号（ＩＭＥＩ：Ｉｎｔｅｒｎａｔｉｏｎａｌ  Ｍｏｂｉｌｅ  Ｅｑｕｉｐｍｅｎｔ  Ｉｄｅｎｔｉｔｙ）に基づいて、クラスタＩＤを生成し、クラスタＩＤが第１の端末デバイスの所属するクラスタを一意的に識別する。
【００７６】
コアネットワークデバイスは、第１の端末デバイスに割り当てるクラスタＩＤを確定した後に、ＮＡＳシグナリングによって第１の端末デバイスに直接送信し、又はコアネットワークデバイスは、クラスタＩＤを基地局に送信し、基地局によって当該クラスタＩＤを第１の端末デバイスに転送することができる。
【００７７】
第１の端末デバイスは、当該クラスタＩＤを受信した後に、ブロードキャストの方式で、クラスタＩＤを隣接端末に知らせ、任意選択で、ブロードキャストメッセージに第１の端末デバイスのタイプ情報、例えば、インテリジェント端末／非インテリジェント端末、高電量／低電量のような電量情報等がさらに含まれることができる。隣接端末は、第１の端末デバイスにデータを送信し、又は第１の端末デバイスからデータを受信する前に、クラスタＩＤに基づいて、第１の端末デバイスがアクセスすることができるか否か、およびデータを送信又は受信する時に占用するリソースを確定する。
【００７８】
本発明の実施例において、任意選択で、同一のクラスタＩＤを記憶する1セットの端末デバイスは、一つのクラスタを形成し、このクラスタ内のデータを受信及び転送する端末デバイスは、「クラスタヘッダー端末」と称して良い。
【００７９】
Ｓ１３０において、第１の端末デバイスは、第２の端末デバイスとの関連付けを確立して通信する。
【００８０】
Ｓ１３０において、第１の端末デバイスは、第２の端末デバイスにより送信される関連付け要求情報を受信し、関連付け要求情報に第２の端末のデバイス情報が含まれ、第２の端末のデバイス情報は、第２の端末デバイスのＩＤ、第２の端末デバイスのタイプ、第２の端末デバイスのデータ送信周期、ＱｏＳ指示情報を含むが、それらに限定しない。第１の端末デバイスは、第２の端末デバイスの関連付け要求情報を受信した後に、ユーザによって、関連付け要求情報に基づいて、第２の端末デバイスと関連付けるか否かのように第１の端末デバイスを制御する。
【００８１】
具体的に、ユーザは、第２の端末デバイスのデバイス情報に基づいて、第１の端末デバイスが第２の端末デバイスと関連付ける望みがあるか否かを確定し、第１の端末デバイスに、第１の端末デバイスが第２の端末デバイスと関連付けるか否かの応答情報を入力する。例えば、第２の端末デバイスが当該ユーザのものであり、当該ユーザは、第１の端末デバイスが第２の端末デバイスと関連付ける望みがある場合、ユーザは、第１の端末デバイスに応答情報を入力し、応答情報は、第２の端末デバイスとの関連付けを確立するように第１の端末デバイスに指示し、その後に、第１の端末デバイスは、第２の端末デバイスのデバイス情報を記憶し、第２の端末デバイスに関連付け確認情報を送信し、第２の端末デバイスは、第１の端末デバイスにより送信される関連付け確認情報を受信した後に、第１の端末デバイスにより送信されるデバイス情報とクラスタＩＤとを記憶し、第１の端末デバイスにデータを送信する必要がある時に、第１の端末デバイスにより送信されるリソース割り当て指示情報を再度受信する必要があり、リソース割り当て指示情報に示されるリソースにおいてデータ送信を行う。
【００８２】
又は、第１の端末デバイスは、第２の端末デバイスにより送信される関連付け要求情報を受信した後に、記憶されている関連付け情報と、関連付け要求情報に含まれるデバイス情報に基づいて、第２の端末デバイスとの関連付けを確立するか否かを確定する。例えば、関連付け情報に、その前に第１の端末デバイスと関連付けたことがあるデバイスの情報、例えば、デバイスのＩＤを記録することができ、第１の端末デバイスは、対比することによって第２の端末デバイスのＩＤが関連付け情報に記録されていることを発覚した場合、その前に第２の端末デバイスと関連付けたことがあることを証明し、第１の端末デバイスは、第２の端末デバイスとの関連付けを確立する。第２の端末デバイスのＩＤが関連付け情報に存在しない場合、その前に第２の端末デバイスと関連付けたことがないことを証明し、この場合、第１の端末デバイスは、第２の端末デバイスとの関連付けを確立しないように選択することができる。
【００８３】
任意選択で、第２の端末デバイスは、第１の端末デバイスにより送信される第１のリソース割り当て指示情報を受信し、第１の端末デバイスに関連付け要求情報を送信する時に、第１のリソース割り当て指示情報に示されるリソースにおいて、第１の端末デバイスに関連付け要求情報を送信する。
【００８４】
任意選択で、第２の端末デバイスは、基地局により送信される前記クラスタＩＤと前記クラスタＩＤに対応する第２のリソース割り当て指示情報とを受信し、第２の端末デバイスは、第２のリソース割り当て指示情報を受信した時に、第２のリソース指示情報に示されるリソースが第２の端末デバイスと第１の端末デバイスとの間で通信するために用いられるものであることが分かり、そのため、第２の端末デバイスは、第２のリソース割り当て指示情報に示されるリソースにおいて、第１の端末デバイスに関連付け要求情報を送信し、第２のリソース割り当て指示情報に示されるリソースにおいて、第１の端末デバイスにデータを送信し、又は第１の端末デバイスにより送信されるデータを受信する。
【００８５】
本発明の実施例において、任意選択で、第２の端末デバイスは、複数のデータを受信及び転送する機能を有する端末デバイスに対応するクラスタＩＤとデバイス情報とを記憶し、この時に、第２の端末デバイスは、データを送信する時に、検出したクラスタＩＤと、対応するリソース割り当て指示情報に従って、対応する端末デバイスにデータを送信する。例を挙げて説明すれば、第２の端末デバイスは、検出したクラスタＩＤに対応する端末デバイスにインテリジェント端末デバイスが存在する場合、インテリジェント端末デバイスを優先的に選択してデータ伝送を行う。第２の端末デバイスが検出したクラスタＩＤに対応する端末デバイスに複数のインテリジェント端末デバイスが存在する場合、端末能力、電量などに従ってデータ伝送する端末デバイスを選択し、例えば、電量＞第１の予め設定された値、しかも伝送能力がＬＩＥをサポートするインテリジェント端末デバイスを選択してデータを伝送することができる。端末デバイスは、検出したＩＤに対応する端末デバイス内の複数の端末デバイスの能力が同じである場合、ランダムに一つを選択してデータ伝送を行うことができる。
【００８６】
さらに、第１の端末デバイスは、第２の端末デバイスにより送信されるデータを受信した後に、第１の端末デバイスの状況とデータのサービス品質（ＱｏＳ）に対する要求とに基づいて、ネットワーク側デバイスにデータを送信する。任意選択で、データのＱｏＳに対する要求は、第２の端末デバイスが第１の端末デバイスと関連付けるプロセスで第１の端末デバイスに知らせたものであっても良く、第２の端末デバイスは第１の端末デバイスにデータを送信すると同時に、第１の端末デバイスに知らせたものであっても良く、本発明は、これに対して限定しない。
【００８７】
任意選択で、第１の端末デバイスは接続状態にある場合、ネットワーク側デバイスに受信したデータを直ちに報告することができる。第１の端末デバイスはアイドル状態にあり、かつデータが遅延に敏感な情報である場合、第１の端末デバイスは、接続を直ちに確立して当該データを報告する。第１の端末デバイスはアイドル状態にあり、かつ当該データが遅延に敏感でないデータである場合、第１の端末デバイスは、可能な限り、自身のサービスに基づいて接続を確立してから、当該データを報告する。第１の端末デバイスはアイドル状態にあり、且つ当該データに遅延要求が含まる（例えば、１００ｍｓ、１ｓ又は１分間）場合、第１の端末デバイスは、遅延要求に基づいて接続を確立し、当該データを報告し、この中で、第１の端末デバイスの自身のサービスの接続確立のプロセスを借用するしかできない。第１の端末デバイスはアイドル状態にあり、且つデータが遅延に要求しない場合、第１の端末デバイスは、自身のサービスに基づいて接続を確立する時になってから、当該データを報告し、当該データが第１の端末デバイスに記憶される時間が予め設定された時間長さを超えた場合、第１の端末デバイスは、当該データを削除する。
【００８８】
以上において図２を結合して本発明の実施例による端末デバイス間の関連付けを確立するための方法を詳しく説明しており、下記において図３を結合して本発明の実施例による端末デバイス１０を詳しく説明する。図３に示すように、端末デバイス１０は、送受信ユニット１１と処理ユニット１２を含む。
【００８９】
送受信ユニット１１は、ネットワーク側デバイスに端末能力情報を送信するように構成され、前記端末能力情報は、前記端末デバイスがデータを受信及び転送する能力を有することを示すために用いられる。
【００９０】
前記送受信ユニット１１は、前記ネットワークデバイスにより送信される、前記端末デバイスがデータを受信及び転送する能力を有することを確認する確認情報を受信するようにさらに構成される。
【００９１】
処理ユニット１２は、前記確認情報に基づいて、前記第２の端末デバイスとの関連付けを確立するように構成される。
【００９２】
そのため、本発明の実施例における端末デバイスは、現行のＬＴＥ通信システムに基づいて、その他の端末デバイスとの関連付けを確立してデータを伝送することができ、それによって、端末デバイスのパワー及び端末デバイス間の通信コストを省くことができ、しかもその他の端末デバイスのデータをネットワークに送信することができ、それによって、ユーザが随時に必要とする情報を共有又は取得する。
【００９３】
本発明の実施例において、任意選択で、前記送受信ユニット１１は、前記確認情報を受信した後に、前記第２の端末デバイスにより送信される関連付け要求情報を受信してユーザに呈し、前記ユーザにより入力される前記第２の端末デバイスのデバイス情報に基づいて確定された応答情報を受信するようにさらに構成され、前記関連付け要求情報に前記第２の端末デバイスのデバイス情報が含まれ、前記応答情報は、前記第２の端末デバイスとの関連付けを確立するか否かを前記端末デバイスに指示するために用いられ、
ここで、前記処理ユニット１２は、前記応答情報が前記第２の端末デバイスとの関連付けを確立するように前記端末デバイスに指示する場合、前記第２の端末デバイスとの関連付けを確立するように具体的に構成される。
【００９４】
本発明の実施例において、任意選択で、前記送受信ユニット１１は、前記確認情報を受信した後に、前記第２の端末デバイスにより送信される関連付け要求情報を受信するようにさらに構成され、前記関連付け要求情報に前記第２の端末デバイスのデバイス情報が含まれ、
ここで、前記処理ユニット１２は、記憶されている関連付け情報と前記第２の端末デバイスのデバイス情報とに基づいて、前記第２の端末デバイスとの関連付けを確立するか否かを確定し、前記第２の端末デバイスとの関連付けを確立することを確定した場合、前記第２の端末デバイスとの関連付けを確立するように具体的に構成される。
【００９５】
前記処理ユニット１２は、前記送受信ユニット１１が前記確認情報を受信した後に、記憶されている関連付け情報に基づいて、前記第２の端末デバイスとの関連付けを確立するか否かを確定し、前記処理ユニット１２が前記第２の端末デバイスとの関連付けを確立することを確定した場合、前記第２の端末デバイスとの関連付けを確立するように具体的に構成される。
【００９６】
本発明の実施例において、任意選択で、前記送受信ユニット１１が前記確認情報を受信した後に、前記送受信ユニット１１は、前記第２の端末デバイスに第１のリソース割り当て指示情報を送信し、前記第１のリソース割り当て指示情報に示されるリソースにおいて、前記関連付け要求情報を受信するようにさらに構成される。
【００９７】
本発明の実施例において、任意選択で、前記送受信ユニット１１は、前記ネットワーク側デバイスにより送信される第２のリソース割り当て指示情報を受信するようにさらに構成され、ここで、前記第２のリソース割り当て指示情報に示されるリソースに前記第１のリソース指示情報に示されるリソースが含まれる。
【００９８】
本発明の実施例において、任意選択で、前記送受信ユニット１１は、前記ネットワーク側デバイスより送信されるクラスタ識別子（ＩＤ）を受信し、記第２の端末デバイスが前記端末デバイスにデータを送信し、又は前記端末デバイスからデータを受信する前に、前記クラスタＩＤに基づいて前記端末デバイスにアクセスすることができるか否か、及びデータを送信又は受信する時に占用するリソースを確定することができるように、前記第２の端末デバイスに前記クラスタＩＤを送信するようにさらに構成され、前記クラスタＩＤは、前記端末デバイスの所属するクラスタを一時的に示すために用いられ、前記クラスタＩＤは、前記ネットワーク側デバイスが前記端末デバイスがデータを受信及び転送する能力を有することを確定する時に前記端末デバイスに割り当てるものである。
【００９９】
本発明の実施例において、任意選択で、前記送受信ユニット１１は、前記第２の端末デバイスにより送信されるデータを受信し、前記端末デバイスの状況とサービス品質（ＱｏＳ）指示情報とに基づいて、前記ネットワーク側デバイスに前記データを送信するようにさらに構成され、前記ＱｏＳ指示情報は、前記データがＱｏＳに対する要求を示す。
【０１００】
本発明の実施例において、任意選択で、前記送受信ユニット１１は、前記端末デバイスが接続状態にある場合、前記データを成功に受信した時刻からの第１の持続時間内において、前記ネットワーク側デバイスに前記データを送信するように具体的に構成され、又は、
前記端末デバイスがアイドル状態にあり、かつ前記ＱｏＳ指示情報が前記データが遅延に敏感なデータであることを示し、又は前記データの要求する伝送遅延が第１の予め設定された値より小さい場合、前記処理ユニット１２が、前記送受信ユニット１１が前記データを成功に受信した時刻からの第２の持続時間内において、前記ネットワーク側デバイスとの接続を確立し、前記送受信ユニット１１は、接続確立した後に前記ネットワーク側デバイスに前記データを送信するように構成され、又は、
前記端末デバイスがアイドル状態にあり、且つ前記ＱｏＳ指示情報は、前記データが遅延に敏感でないデータである場合、前記送受信ユニット１１が前記データを成功に受信した時刻からの第３の持続時間内において、前記処理ユニット１２が前記ネットワーク側デバイスに接続を確立し、前記送受信ユニット１１は、前記基地局に前記データを送信するように構成され、又は、
前記端末デバイスが、アイドル状態にあり、且つ前記ＱｏＳ指示情報が前記データが伝送遅延に対して要求しないことを示す場合、前記送受信ユニット１１が前記データを成功に受信した時刻からの第４の持続時間内において、前記処理ユニット１２が、前記端末デバイスの自身のサービスニーズに基づいて、前記ネットワーク側デバイスとの接続を確立し、前記送受信ユニット１１は、前記ネットワーク側デバイスに前記データを送信するように構成される。
【０１０１】
本発明の実施例において、任意選択で、前記送受信ユニット１１は、前記第２の端末デバイスにより送信されるデータと前記ＱｏＳ指示情報とを受信するように具体的に構成される。
【０１０２】
本発明の実施例において、任意選択で、前記送受信ユニット１１は、基地局にアクセス層（ＡＳ）シグナリングに送信し、及び／又は、コアネットワークデバイスに非アクセス層（ＮＡＳ）シグナリングを送信するように具体的に構成され、前記ＡＳ層シグナリングに前記端末能力情報が含まれ、前記ＮＡＳシグナリングに前記端末能力情報が含まれる。
【０１０３】
本発明の実施例において、任意選択で、前記第２の端末デバイスのデバイス情報は、前記第２の端末デバイスのＩＤ、前記第２の端末デバイスのタイプ、前記第２の端末デバイスのデータ送信周期、ＱｏＳ指示情報のうちの少なくとも一つを含む。
【０１０４】
本発明の実施例において、任意選択で、前記送受信ユニット１１は、前記第２の端末デバイスにブロードキャストメッセージを送信するように具体的に構成され、前記ブロードキャストメッセージに前記クラスタＩＤが含まれる。
【０１０５】
本発明の実施例において、任意選択で、前記ブロードキャストメッセージに前記端末デバイスのデバイス情報がさらに含まれ、前記端末デバイスのデバイス情報は、タイプ情報と電量情報とのうちの少なくとも一つを含む。
【０１０６】
なお、本発明の実施例において、処理ユニット１２は、プロセッサにより実現されても良く、送受信ユニット１１は、レシーバーとトランスミッターとにより実現されても良い。図４に示すように、端末デバイス１００は、プロセッサ１０１、レシーバー１０２、トランスミッター１０３、及び記憶装置１０４を含むことが可能である。ここで、記憶装置１０４は、プロセッサ１０１に実行されるコード等を記憶するように構成されることが可能である。
【０１０７】
端末デバイス１００における各コンポーネントは、バスシステム１０５によってカップリングされており、ここで、バスシステム１０５は、データバス以外に、電源バス、制御バス及び状態信号バスをさらに含む。
【０１０８】
図３に示される端末デバイス１０又は図４に示される端末デバイス１００は、前記の方法の実施例内の第１の端末デバイスによって実現される各プロセスを実現することができ、重複を避けるために、省略する。
【０１０９】
下記において、図５を結合して本発明の別の一つの実施例による端末デバイスを詳しく説明し、図５に示すように、端末デバイス２０は、送受信ユニット２１と処理ユニット２２を含む。
【０１１０】
送受信ユニット２１は、第１の端末デバイスより送信されるクラスタ識別子（ＩＤ）を受信するように構成され、前記クラスタＩＤは、前記第１の端末デバイスの所属するクラスタを一時的に示すために用いられ、前記クラスタＩＤは、ネットワーク側デバイスが前記第１の端末デバイスがデータを受信及び転送する能力を有することを確定する時に、前記第１の端末デバイスに割り当て、前記第１の端末デバイスに送信されるものである。
【０１１１】
前記送受信ユニット２１は、前記第１の端末デバイスに関連付け要求情報を送信するようにさらに構成され、前記関連付け要求情報に前記端末デバイスのデバイス情報が含まれる。
【０１１２】
処理ユニット２２は、前記第１の端末デバイスとの関連付けを確立するために、前記送受信ユニット２１が前記第１の端末デバイスにより送信される関連付け確認情報を受信した場合、前記クラスタＩＤを記憶するように構成され、ここで、前記関連付け確認情報は、ユーザ又は前記第１の端末デバイスが前記デバイス情報に基づいて、前記第１の端末デバイスと前記端末デバイスとの関連付けを確立する時に、前記第１の端末デバイスにより前記端末デバイスに送信されるものである。
【０１１３】
そのため、本発明の実施例における端末デバイスは、現行のＬＴＥ通信システムに基づいて、その他の端末デバイスとの関連付けを確立しデータの伝送を行い、それによって、端末デバイスのパワー及び端末デバイス間の通信コストを省くことができる。
【０１１４】
本発明の実施例において、任意選択で、前記送受信ユニット２１は、検出したクラスタＩＤと前記クラスタＩＤとの関係に基づいて、前記第１の端末デバイスにデータを送信するように具体的に構成される。
【０１１５】
本発明の実施例において、任意選択で、前記送受信ユニット２１は、検出したクラスタＩＤに前記クラスタＩＤが含まれ、且つ前記第１の端末デバイスがターゲットタイプ端末である場合、前記第１の端末デバイスにデータを送信し、又は、検出したクラスタＩＤに前記クラスタＩＤが含まれ、且つ前記第１の端末デバイスの能力が前記検出したクラスタＩＤ内のその他のクラスタＩＤに対応する端末デバイスの能力より高い場合、前記第１の端末デバイスにデータを送信するように具体的に構成される。
【０１１６】
本発明の実施例において、任意選択で、前記送受信ユニット２１は、前記第１の端末デバイスにより送信される第１のリソース指示情報を受信し、前記第１のリソース指示情報に示されるリソースにおいて、前記第１の端末デバイスに前記関連付け要求情報を送信するようにさらに構成される。
【０１１７】
本発明の実施例において、任意選択で、前記送受信ユニット２１は、基地局により送信される前記クラスタＩＤと前記クラスタＩＤに対応する第２のリソース指示情報とを受信し、前記第１の端末デバイスにより送信される前記クラスタＩＤに対応する第３のリソース割り当て指示情報を受信し、前記第３のリソース指示情報に示されるリソースにおいて前記第１の端末デバイスに前記関連付け要求情報を送信し、前記第２のリソース指示情報に示されるリソースにおいて、前記第１の端末デバイスに前記データを送信するようにさらに構成され、前記第３のリソース割り当て指示情報に示されるリソースは、前記第２のリソース割り当て指示情報に示されるリソース内の一部のリソースである。
【０１１８】
なお、本発明の実施例において、処理ユニット２２は、プロセッサにより実現されても良く、送受信ユニット２１は、レシーバーとトランスミッターにより実現されても良い。図６に示すように、端末デバイス２００は、プロセッサ２０１、レシーバー２０２、トランスミッター２０３、及び記憶装置２０４を含むことが可能である。ここで、記憶装置２０４は、プロセッサ２０１で実行するコード等を記憶するように構成されることが可能である。
【０１１９】
端末デバイス２００内の各コンポーネントは、バスシステム２０５でカップリングされており、ここでバスシステム２０５は、データバス以外に、電源バス、制御バス及び状態信号バスをさらに含む。
【０１２０】
図５に示される端末デバイス２０又は図６に示される端末デバイス２００は、前記の方法の実施例内の第２の端末デバイスによって実現される各プロセスを実現することができ、重複を避けるために、省略する。
【０１２１】
以下において、図７を結合して本発明の実施例による基地局を詳しく説明し、図７示すように、基地局３０は、受信ユニット３１と送信ユニット３２を含む。
【０１２２】
受信ユニット３１は、第１の端末デバイスにより送信される端末能力情報を受信するように構成され、前記端末能力情報は、前記第１の端末デバイスがデータを受信及び転送する能力を有することを示すために用いられる。
【０１２３】
送信ユニット３２は、コアネットワークデバイスに前記端末能力情報を送信するように構成される。
【０１２４】
前記受信ユニット３１は、前記コアネットワークデバイスにより送信される、前記第１の端末デバイスがデータを受信及び転送する能力を有することを確認する確認情報を受信するようにさらに構成される。
【０１２５】
前記送信ユニット３２は、前記第１の端末デバイスが、前記確認情報に基づいて、第２の端末デバイスとの関連付けを確立することができるように、前記第１の端末デバイスに前記確認情報を送信するようにさらに構成される。
【０１２６】
そのため、本発明の実施例における基地局は、端末デバイスの端末能力情報を受信してコアネットワークデバイスに当該端末能力情報を転送し、それによって、端末デバイスが現行のＬＴＥ通信システムに基づいて、その他の端末デバイスとの関連付けを確立してデータの伝送を行い、それによって、端末デバイスのパワー及び端末デバイス間の通信コストを省くことができる。
【０１２７】
本発明の実施例において、任意選択で、前記受信ユニット３１は、前記コアネットワークデバイスにより送信されるクラスタＩＤを受信するようにさらに構成され、前記クラスタＩＤは、前記第１の端末デバイスの所属するクラスタを一時的に示すために用いられ、前記クラスタＩＤは、前記コアネットワークデバイスが前記第１の端末デバイスがデータを受信及び転送する能力を有することを確定する時に確定されるものである。
【０１２８】
ここで、前記送信ユニット３２は、前記第１の端末デバイスに前記クラスタＩＤを送信するようにさらに構成される。
【０１２９】
本発明の実施例において、任意選択で、前記受信ユニット３１は、前記第１の端末デバイスにより送信されるアクセス層（ＡＳ）シグナリングを受信するように具体的に構成され、前記ＡＳ層シグナリングに前記端末能力情報が含まれる。
【０１３０】
本発明の実施例において、任意選択で、前記第１の端末デバイスが前記第１のリソース割り当て指示情報に示されるリソース内の一部のリソースを前記第２の端末デバイスに割り当てることができるように、前記送信ユニット３２は、前記第１の端末デバイスに第１のリソース割り当て指示情報を送信するようにさらに構成される。
【０１３１】
本発明の実施例において、任意選択で、前記第２の端末デバイスが前記クラスタＩＤに基づいて、前記第１の端末デバイスにデータを送信し、又は前記第１の端末デバイスからデータを受信する時に占用するリソースを確定することができるように、前記送信ユニット３２は、前記第２の端末デバイスに前記クラスタＩＤと、前記クラスタＩＤに対応する第２のリソース割り当て指示情報とを送信するようにさらに構成される。
【０１３２】
なお、本発明の実施例において、受信ユニット３１は、レシーバーによって実現されても良く、送信ユニット３２は、トランスミッターによって実現されても良い。図８に示すように、基地局３００は、プロセッサ３０１、レシーバー３０２、トランスミッター３０３、及び記憶装置３０４を含むことが可能である。ここで、記憶装置３０４は、プロセッサ３０１で実行するコードなどを記憶するように構成されることが可能である。
【０１３３】
基地局３００における各コンポーネントは、バスシステム３０５によってカップリングされており、ここでバスシステム３０５は、データバス以外に、電源バス、制御バス及び状態信号バスをさらに含む。
【０１３４】
図７に示される基地局３０又は図８に示される基地局３００は、上記の方法実施例内の基地局によって実現される各プロセスを実現することができ、重複を避けるために、省略する。
【０１３５】
図９は、本発明の実施例によるコアネットワークデバイスの概略的ブロック図であり、図９示すように、コアネットワークデバイス４０は、送受信ユニット４１と処理ユニット４２を含む。
【０１３６】
送受信ユニット４１は、第１の端末デバイスの端末能力情報を受信するように構成され、前記端末能力情報は、前記第１の端末デバイスがデータを受信及び転送する能力を有することを示すために用いられる。
【０１３７】
処理ユニット４２は、前記端末デバイス能力情報に基づいて、前記第１の端末デバイスがデータを受信及び転送する能力を有するか否かを確定する。
【０１３８】
前記送受信ユニット４１は、前記処理ユニット４２が前記端末能力情報に基づいて、前記第１の端末デバイスがデータを受信及び転送する能力を有することを確定した場合、前記第１の端末デバイスが前記確認情報に基づいて第２の端末デバイスとの関連付けを確立することができるように、前記第１の端末デバイスに前記第１の端末デバイスがデータを受信及び転送する能力を有することを確認する確認情報を送信するようにさらに構成される。
【０１３９】
そのため、本発明の実施例におけるコアネットワークデバイスは、端末デバイスの端末能力情報に基づいて、端末デバイスがデータを受信及び転送する能力を有するか否かを確認し、それによって、端末デバイスは、現行のＬＴＥ通信システムに基づいて、その他の端末デバイスとの関連付けを確立してデータの伝送を行うことができ、それによって、端末デバイスのパワー及び端末デバイス間の通信コストを省くことができる。
【０１４０】
本発明の実施例において、任意選択で、前記処理ユニット４２は、前記端末能力情報に基づいて、前記第１の端末デバイスがデータを受信及び転送する能力を有することを確定した場合、前記第１の端末デバイスに割り当てるクラスタＩＤを確定するようにさらに構成され、前記クラスタＩＤは、前記第１の端末デバイスの所属するクラスタを一時的に示すために用いられる。
【０１４１】
ここで、前記送受信ユニット４１は、前記第１の端末デバイスに前記クラスタＩＤを送信するようにさらに構成される。
【０１４２】
本発明の実施例において、任意選択で、前記処理ユニット４２は、前記第１の端末デバイスの国際移動体加入者識別番号（ＩＭＳＩ）又は国際移動体装置識別番号（ＩＭＥＩ）に基づいて生成されるクラスタＩＤを前記第１の端末デバイスに割り当てるクラスタＩＤとして確定するように具体的に構成される。
【０１４３】
本発明の実施例において、任意選択で、前記送受信ユニット４１は、前記第１の端末デバイスにより送信される非アクセス層（ＮＡＳ）シグナリングを受信し、又は、基地局により送信される前記端末能力情報を受信するように具体的に構成され、前記ＮＡＳ層シグナリングに前記端末能力情報が含まれる。
【０１４４】
なお、本発明の実施例において、送受信ユニット４１は、レシーバーとトランスミッターによって実現されても良く、処理ユニット４２は、プロセッサによって実現されても良い。図１０示すように、コアネットワークデバイス４００は、プロセッサ４０１、レシーバー４０２、トランスミッター４０３、及び記憶装置４０４を含むことが可能である。ここで、記憶装置４０４は、プロセッサ４０１に実行されるコード等を記憶するように構成されることが可能である。
【０１４５】
コアネットワークデバイス４００における各コンポーネントは、バスシステム４０５によってカップリングされており、ここでバスシステム４０５は、データバス以外に、電源バス、制御バス及び状態信号バスをさらに含む。
【０１４６】
図９に示されるコアネットワークデバイス４０又は図１０に示されるコアネットワークデバイス４００は、上記の方法の実施例におけるコアネットワークデバイスによって実現される各プロセスを実現することができ、重複を避けるために、省略する。
【０１４７】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１４８】
当業者は、説明の便利と簡潔上、上記に記載されているシステム、装置及びユニットの具体的な動作については、上記の方法実施例の対応されているフローを参照することができ、ここでそれ以上述べない。
【０１４９】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１５０】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１５１】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１５２】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019514245.tif 000003
【図２】
2019514245.tif 000004
【図３】
2019514245.tif 000005
【図４】
2019514245.tif 000006
【図５】
2019514245.tif 000007
【図６】
2019514245.tif 000008
【図７】
2019514245.tif 000009
【図８】
2019514245.tif 000010
【図９】
2019514245.tif 000011
【図１０】
2019514245.tif 000012
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
端末デバイス間の関連付けを確立するための方法であって、
第１の端末デバイスが、ネットワーク側デバイスに端末能力情報を送信することと、
前記第１の端末デバイスが、前記ネットワーク側デバイスにより送信される前記第１の端末デバイスがデータを受信及び転送する能力を有することを確認する確認情報を受信することと、
前記第１の端末デバイスが、前記確認情報に基づいて、第２の端末デバイスとの関連付けを確立することと、
を含み、前記端末能力情報は、前記第１の端末デバイスがデータを受信及び転送する能力を有することを示すために用いられる、
ことを特徴とする前記端末デバイス間の関連付けを確立するための方法。
【請求項２】
前記第１の端末デバイスが、前記確認情報に基づいて、前記第２の端末デバイスとの関連付けを確立することは、
前記第１の端末デバイスが、前記確認情報を受信した後に、前記第２の端末デバイスにより送信される関連付け要求情報を受信してユーザに呈することと、
前記第１の端末デバイスが、前記ユーザにより入力される前記第２の端末デバイスのデバイス情報に基づいて確定された応答情報を受信することと、
前記応答情報が前記第２の端末デバイスとの関連付けを確立することを前記第１の端末デバイスに指示する場合、前記第１の端末デバイスが、前記第２の端末デバイスとの関連付けを確立することと、
を含み、前記関連付け要求情報に前記第２の端末デバイスのデバイス情報が含まれ、前記応答情報は、前記第２の端末デバイスとの関連付けを確立するか否かを前記第１の端末デバイスに指示するために用いられる、
ことを特徴とする請求項１に記載の端末デバイス間の関連付けを確立するための方法。
【請求項３】
前記第１の端末デバイスが、前記確認情報に基づいて、前記第２の端末デバイスとの関連付けを確立することは、
前記第１の端末デバイスが、前記確認情報を受信した後に、前記第２の端末デバイスにより送信される関連付け要求情報を受信することと、
前記第１の端末デバイスが、記憶されている関連付け情報と前記第２の端末デバイスのデバイス情報とに基づいて、前記第２の端末デバイスとの関連付けを確立するか否かを確定することと、
前記第１の端末デバイスが前記第２の端末デバイスとの関連付けの確立を確定する場合、前記第１の端末デバイスが、前記第２の端末デバイスとの関連付けを確立することと、
を含み、前記関連付け要求情報に前記第２の端末デバイスのデバイス情報が含まれる、
ことを特徴とする請求項１に記載の端末デバイス間の関連付けを確立するための方法。
【請求項４】
前記第１の端末デバイスが前記確認情報を受信した後に、前記方法は、
前記第１の端末デバイスが、前記第２の端末デバイスに第１のリソース割り当て指示情報を送信することをさらに含み、
ここで、前記第１の端末デバイスが前記第２の端末デバイスにより送信される関連付け要求情報を受信することは、
前記第１の端末デバイスが、前記第１のリソース割り当て指示情報に示されるリソースにおいて、前記関連付け要求情報を受信することを含む、
ことを特徴とする請求項２に記載の端末デバイス間の関連付けを確立するための方法。
【請求項５】
前記方法は、
前記第１の端末デバイスが、前記ネットワーク側デバイスにより送信される第２のリソース割り当て指示情報を受信することをさらに含み、ここで、前記第２のリソース割り当て指示情報に示されるリソースに前記第１のリソース指示情報に示されるリソースが含まれる、
ことを特徴とする請求項４に記載の端末デバイス間の関連付けを確立するための方法。
【請求項６】
前記方法は、
前記第１の端末デバイスが、前記ネットワーク側デバイスより送信されるクラスタ識別子（ＩＤ）を受信することと、
前記第２の端末デバイスが前記第１の端末デバイスにデータを送信し、又は前記第１の端末デバイスからデータを受信する前に、前記クラスタＩＤに基づいて、前記第１の端末デバイスにアクセスすることができるか否か、またデータを送信又は受信する時に占用するリソースを確定することができるように、前記第１の端末デバイスが、前記第２の端末デバイスに前記クラスタＩＤを送信することと、
をさらに含み、前記クラスタＩＤは、前記第１の端末デバイスの所属するクラスタを一時的に示すために用いられ、前記クラスタＩＤは、前記ネットワーク側デバイスが前記第１の端末デバイスがデータを受信及び転送する能力を有することを確定する時に、前記第１の端末デバイスに割り当てられるものである、
ことを特徴とする請求項１〜５のいずれか１項に記載の端末デバイス間の関連付けを確立するための方法。
【請求項７】
前記方法は、
前記第１の端末デバイスが、前記第２の端末デバイスにより送信されるデータを受信することと、
前記第１の端末デバイスが、前記第１の端末デバイスの状況とサービス品質（ＱｏＳ）指示情報とに基づいて、前記ネットワーク側デバイスに前記データを送信することと、
をさらに含み、前記ＱｏＳ指示情報は、前記データがＱｏＳに対する要求を示す、
ことを特徴とする請求項１〜６のいずれか１項に記載の端末デバイス間の関連付けを確立するための方法。
【請求項８】
前記第１の端末デバイスが、前記第１の端末デバイスの状況とＱｏＳ指示情報とに基づいて、前記ネットワーク側デバイスに前記データを送信することは、
前記第１の端末デバイスが接続状態にある場合、前記第１の端末デバイスが、前記データを成功に受信する時刻からの第１の持続時間内において、前記ネットワーク側デバイスに前記データを送信すること、又は、
前記第１の端末デバイスがアイドル状態にあり、且つ前記ＱｏＳ指示情報が、前記データが遅延に敏感なデータであり、又は前記データの要求する伝送遅延が第１の予め設定された値より小さいことを示す場合、前記第１の端末デバイスが、前記データを成功に受信する時刻からの第２の持続時間内において、前記ネットワーク側デバイスとの接続を確立し、接続を確立してから前記ネットワーク側デバイスに前記データを送信すること、又は、
前記第１の端末デバイスがアイドル状態にあり、且つ前記ＱｏＳ指示情報が、前記データが遅延に敏感でないデータであることを示す場合、前記第１の端末デバイスが前記データを成功に受信した時刻からの第３の持続時間内において、前記ネットワーク側デバイスと接続を確立した場合、前記第１の端末デバイスが前記基地局に前記データを送信すること、又は、
前記第１の端末デバイスがアイドル状態にあり、且つ前記ＱｏＳ指示情報が、前記データが伝送遅延に対して要求しないことを示す場合、前記第１の端末デバイスが前記データを成功に受信した時刻からの第４の持続時間内において、自身のサービスニーズに基づいて前記ネットワーク側デバイスとの接続を確立した場合、前記第１の端末デバイスが、前記ネットワーク側デバイスに前記データを送信すること、
を含む、
ことを特徴とする請求項７に記載の端末デバイス間の関連付けを確立するための方法。
【請求項９】
前記第２の端末デバイスにより送信されるデータを受信することは、
前記第２の端末デバイスにより送信されるデータと前記ＱｏＳ指示情報とを受信することを含む、
ことを特徴とする請求項７又は８に記載の端末デバイス間の関連付けを確立するための方法。
【請求項１０】
前記第１の端末デバイスが前記ネットワーク側デバイスに端末能力情報を送信することは、
前記第１の端末デバイスが、基地局にアクセス層（ＡＳ）シグナリングを送信すること、及び／又は、
前記第１の端末デバイスが、コアネットワークデバイスに非アクセス層（ＮＡＳ）シグナリングを送信すること、
を含み、前記ＡＳ層シグナリングに前記端末能力情報が含まれ、前記ＮＡＳシグナリングに前記端末能力情報が含まれる、
ことを特徴とする請求項１〜９のいずれか１項に記載の端末デバイス間の関連付けを確立するための方法。
【請求項１１】
前記第２の端末デバイスのデバイス情報は、前記第２の端末デバイスのＩＤ、前記第２の端末デバイスのタイプ、前記第２の端末デバイスのデータ送信周期、及びＱｏＳ指示情報のうちの少なくとも一つを含む、
ことを特徴とする請求項２又は３に記載の端末デバイス間の関連付けを確立するための方法。
【請求項１２】
前記第１の端末デバイスが前記第２の端末デバイスに前記クラスタＩＤを送信することは、
前記第１の端末デバイスが、前記第２の端末デバイスにブロードキャストメッセージを送信することを含み、前記ブロードキャストメッセージに前記クラスタＩＤが含まれる、
ことを特徴とする請求項４に記載の端末デバイス間の関連付けを確立するための方法。
【請求項１３】
前記ブロードキャストメッセージは、前記第１の端末デバイスのデバイス情報をさらに含み、前記第１の端末デバイスのデバイス情報は、タイプ情報と電量情報とのうちの少なくとも一つを含む、
ことを特徴とする請求項１２に記載の端末デバイス間の関連付けを確立するための方法。
【請求項１４】
端末デバイス間の関連付けを確立するための方法であって、
第２の端末デバイスが、第１の端末デバイスより送信されるクラスタ識別子（ＩＤ）を受信することと、
前記第２の端末デバイスが、前記第１の端末デバイスに関連付け要求情報を送信することと、
前記第１の端末デバイスとの関連付けを確立するために、前記第２の端末デバイスが、前記第１の端末デバイスにより送信される関連付け確認情報を受信した場合、前記第２の端末デバイスが、前記クラスタＩＤを記憶することと、
を含み、前記クラスタＩＤは、前記第１の端末デバイスの所属するクラスタを一時的に示すために用いられ、前記クラスタＩＤは、ネットワーク側デバイスが前記第１の端末デバイスがデータを受信及び転送する能力を有することを確定する時に、前記第１の端末デバイスに割り当てられ、前記第１の端末デバイスに送信されるものであり、前記関連付け要求情報に前記第２の端末デバイスのデバイス情報が含まれ、ここで、前記関連付け確認情報は、ユーザ又は前記第１の端末デバイスが前記デバイス情報に基づいて前記第１の端末デバイスと前記第２の端末デバイスとの関連付けを確定する時に、前記第１の端末デバイスが前記第２の端末デバイスに送信するものである、
ことを特徴とする前記端末デバイス間の関連付けを確立するための方法。
【請求項１５】
端末デバイスであって、
プロセッサと、
命令を記憶する記憶装置と、を含み、
前記命令が前記プロセッサで実行される時に、前記プロセッサが請求項１〜１３のいずれか１項、又は請求項１４に記載の方法を実行する、
ことを特徴とする前記端末デバイス。
【国際調査報告】
2019514245.tif 000013
2019514245.tif 000014
2019514245.tif 000015
2019514245.tif 000016
2019514245.tif 000017